(57)【要約】【課題】ユーザーにとって使い勝手の良い携帯型電子機器、携帯型電子機器、携帯型電子機器の表示方法、及び携帯型電子機器の表示プログラムを提供する。【解決手段】携帯型電子機器は、ユーザーによる操作の入力を受け付ける入力部と、前記ユーザーの身体活動に関連する検出を行うセンサーと、前記センサーの出力を用いてデータを表示する表示部と、所定項目の所定期間におけるデータが前記表示部に表示されているときに前記入力部が第１操作の入力を受け付けた場合に、前記表示部に表示するデータの表示対象項目を前記所定項目に維持し、かつ前記表示部に表示するデータの表示対象期間を前記所定期間とは長さが異なる期間へ変更する処理部と、を含む。【選択図】図１１
2017127377.tif 000002
【特許請求の範囲】
【請求項１】
ユーザーによる操作の入力を受け付ける入力部と、
前記ユーザーの身体活動に関連する検出を行うセンサーと、
前記センサーの出力を用いてデータを表示する表示部と、
所定項目の所定期間におけるデータが前記表示部に表示されているときに前記入力部が第１操作の入力を受け付けた場合に、前記表示部に表示するデータの表示対象項目を前記所定項目に維持し、かつ前記表示部に表示するデータの表示対象期間を前記所定期間とは長さが異なる期間へ変更する処理部と、を含む、
携帯型電子機器。
【請求項２】
前記第１操作は、
単一のアクションからなる、
請求項１に記載の携帯型電子機器。
【請求項３】
前記入力部はボタンを含み、
前記第１操作は、
前記ボタンを１回押す操作である、
請求項２に記載の携帯型電子機器。
【請求項４】
前記処理部は、
前記所定項目の前記異なる期間におけるデータが前記表示部に表示されているときに前記入力部が第２操作の入力を受け付けた場合に、前記表示対象項目を前記所定項目に維持し、かつ前記表示対象期間を前記異なる期間から前記所定期間へ変更する、
請求項１〜３の何れか一項に記載の携帯型電子機器。
【請求項５】
前記第２操作は、
単一のアクションからなる、
請求項４に記載の携帯型電子機器。
【請求項６】
前記入力部はボタンを含み、
前記第２操作は、
前記ボタンを１回押す操作である、
請求項５に記載の携帯型電子機器。
【請求項７】
前記第２操作は、
前記第１操作と同じ操作である、
請求項４〜６の何れか一項に記載の携帯型電子機器。
【請求項８】
前記所定期間は、前記異なる期間の一部である、
請求項１〜７の何れか一項に記載の携帯型電子機器。
【請求項９】
前記所定期間は１日であり、前記異なる期間は１週間である、
請求項８に記載の携帯型電子機器。
【請求項１０】
前記表示対象項目には、
生活における活動量に関する項目と、運動におけるパフォーマンスに関する項目との少なくとも一方が含まれる、
請求項１〜９の何れか一項に記載の携帯型電子機器。
【請求項１１】
前記活動量に関する項目には、
距離、時間、歩数、ペース、ピッチ、歩幅、上昇階数、上昇階段数、心拍、酸素摂取量、発汗量、水分摂取量、消費カロリー、摂取カロリー、カロリー収支、体重、ウエストサイズ、睡眠時間、睡眠の質、睡眠の質のバランス、緊張時間とリラックス時間とのバランス、目標達成度、紫外線量、
のうち少なくとも１つの項目が含まれる、
請求項１０に記載の携帯型電子機器。
【請求項１２】
前記パフォーマンスに関する項目には、
距離、時間、歩数、ペース、ピッチ、歩幅、上昇高度、下降高度、標高、勾配、トレーニング回数、目標達成度、姿勢、左右差、接地時間、真下着地率、推進効率、脚の流れ、着地ブレーキ量、着地衝撃、心拍数、酸素摂取量、発汗量、水分摂取量、消費カロリー、所定条件における予想運動距離、所定の心拍ゾーンに到達するまでの時間、所定条件での予想ペース、所定条件での予想ピッチ、所定条件での予想歩幅、所定条件での予想タイム、所定条件での予想消費カロリー、自動生成された目標、紫外線量、
のうち少なくとも１つの項目が含まれる、
請求項１０又は１１に記載の携帯型電子機器。
【請求項１３】
前記ユーザーの所定部位へ装着可能である、
請求項１〜１２の何れか一項に記載の携帯型電子機器。
【請求項１４】
前記所定部位は、前記ユーザーの腕又は手首である、
請求項１３に記載の携帯型電子機器。
【請求項１５】
入力部がユーザーによる操作の入力を受け付けることと、
センサーが前記ユーザーの身体活動に関連する検出を行うことと、
表示部が前記センサーの出力を用いてデータを表示することと、
所定項目の所定期間におけるデータが前記表示部に表示されているときに前記入力部が第１操作の入力を受け付けた場合に、前記表示部に表示するデータの表示対象項目を前記所定項目に維持し、かつ前記表示部に表示するデータの表示対象期間を前記所定期間とは長さが異なる期間へ変更することと、を含む、
携帯型電子機器の表示方法。
【請求項１６】
ユーザーによる操作の入力を受け付けることと、
前記ユーザーの身体活動に関連する検出を行うことと、
前記センサーの出力を用いてデータを表示することと、
所定項目の所定期間におけるデータが表示されているときに第１操作の入力を受け付けた場合に、前記表示することの表示対象項目を前記所定項目に維持し、かつ前記表示することの表示対象期間を前記所定期間とは長さが異なる期間へ変更することと、をコンピューターに実行させる、
携帯型電子機器の表示プログラム。
【発明の詳細な説明】
【技術分野】
【０００１】
本発明は、携帯型電子機器、携帯型電子機器の表示方法、及び携帯型電子機器の表示プログラムに関する。
【背景技術】
【０００２】
特許文献１には、被験者（歩行者）の消費エネルギーや累積歩数などのいわゆる活動量の各種データを表示する活動量計が開示されている。特許文献１の活動量計は、あらかじめ設定された所定のデータ以外のデータが表示された後、操作が所定時間行われないときに、所定のデータの表示形式が自動的に表示される。これによって被験者による操作の手間を省くことができる。
【先行技術文献】
【特許文献】
【０００３】
【特許文献１】特開２０１１−８６１２号公報
【発明の概要】
【発明が解決しようとする課題】
【０００４】
しかし、この活動量計は、所定のデータ以外のデータの表示と所定のデータの表示とを切り替えるために待ち時間を要するので、例えば２種類のデータを比較したいユーザーにとっては煩わしく感じられる。また、パーソナルコンピューターなどの設置型機器とは異なり、携帯機器である活動量計は画面サイズに制約があるため、１日の歩数の表示と複数日の累積歩数の表示とを仮に同一画面内で行った場合には、個々のデータが見にくくなる虞もある。
【０００５】
本発明は、以上のような問題点に鑑みてなされたものであり、本発明のいくつかの態様は、ユーザーにとって使い勝手の良い携帯型電子機器、携帯型電子機器、携帯型電子機器の表示方法、及び携帯型電子機器の表示プログラムを提供する。
【０００６】
なお、本願明細書において「身体活動に関連するデータ」には、ユーザーの生活における活動量に関するものと、ユーザーの運動におけるパフォーマンスに関するものとの双方が含まれるものとする。
【課題を解決するための手段】
【０００７】
本発明は前述の課題の少なくとも一部を解決するためになされたものであり、以下の態様又は適用例として実現することが可能である。
【０００８】
［適用例１］
本適用例に係る携帯型電子機器は、ユーザーによる操作の入力を受け付ける入力部と、前記ユーザーの身体活動に関連する検出を行うセンサーと、前記センサーの出力を用いてデータを表示する表示部と、所定項目の所定期間におけるデータが前記表示部に表示されているときに前記入力部が第１操作の入力を受け付けた場合に、前記表示部に表示するデータの表示対象項目を前記所定項目に維持し、かつ前記表示部に表示するデータの表示対象期間を前記所定期間とは長さが異なる期間へ変更する処理部と、を含む。
【０００９】
なお、「表示対象項目を所定項目に維持すること」には、「表示対象項目を所定項目と同一の項目に維持すること」だけでなく、「表示対象項目を所定項目と同種の項目に維持
すること」、「表示対象項目を所定項目と同種の項目に維持するが一部の表示を省略又は追加すること」、「表示対象項目を所定項目に維持するがデータの表示態様は変更すること」などが含まれるものとする。
【００１０】
携帯型電子機器は、パーソナルコンピューターなどの設置型機器とは異なり、表示部のサイズに制約があるため、多くのデータを同一画面内へ同時に表示させると、個々のデータが見にくくなる虞がある。しかし、前記処理部は、所定項目の所定期間における前記データが表示されているときに第１操作の入力を受け付けた場合に、前記データの表示対象項目を前記所定項目に維持し、かつ前記データの表示対象期間を前記所定期間とは長さが異なる期間へ変更する。この場合、ユーザーは、第１操作によって、前記データの表示対象項目を維持したまま表示対象期間を切り替えることができる。したがって、ユーザーは、第１操作の前後における表示内容の変化により、項目が共通かつ期間の異なる２つのデータを比較することができる。
【００１１】
［適用例２］
本適用例に係る携帯型電子機器において、前記第１操作は、単一のアクションからなるものであってもよい。
【００１２】
前記第１操作は、単一のアクションからなるので、ユーザーは、期間の異なる２つのデータの比較を簡単な操作で行うことができる。
【００１３】
［適用例３］
本適用例に係る携帯型電子機器において、前記入力部はボタンを含み、前記第１操作は、前記ボタンを１回押す操作であってもよい。
【００１４】
前記第１操作は、ボタンを１回押す操作であるので、ユーザーは、期間の異なる２つのデータの比較を、ボタンを１回押すという簡単な操作で行うことができる。
【００１５】
［適用例４］
本適用例に係る携帯型電子機器において、前記処理部は、前記所定項目の前記異なる期間におけるデータが前記表示部に表示されているときに前記入力部が第２操作の入力を受け付けた場合に、前記表示対象項目を前記所定項目に維持し、かつ前記表示対象期間を前記異なる期間から前記所定期間へ変更してもよい。
【００１６】
本適用例に係る携帯型電子機器の前記処理部は、前記所定項目の前記異なる期間における前記データが表示されているときに第２操作の入力を受け付けた場合に、前記データの表示対象項目を前記所定項目に維持し、かつ前記データの表示対象期間を前記異なる期間から前記所定期間へ変更する。したがって、ユーザーは、第１操作の後に第２操作によって、前記データの表示対象期間を当該異なる期間から所定期間に戻すことができる。
【００１７】
［適用例５］
本適用例に係る携帯型電子機器において、前記第２操作は、単一のアクションからなるものであってもよい。
【００１８】
前記第２操作は、単一のアクションからなるので、ユーザーは、前記データの表示対象期間を当該異なる期間から所定期間に戻すことを、簡単な操作で行うことができる。
【００１９】
［適用例６］
本適用例に係る携帯型電子機器において、前記入力部はボタンを含み、前記第２操作は、前記ボタンを１回押す操作であってもよい。
【００２０】
前記第２操作は、ボタンを１回押す単一のアクションからなるので、ユーザーは、前記データの表示対象期間を当該異なる期間から所定期間に戻すことを、ボタンを１回押すという簡単な操作で行うことができる。
【００２１】
［適用例７］
本適用例に係る携帯型電子機器において、前記第２操作は、前記第１操作と同じ操作であってもよい。
【００２２】
前記第２操作は、前記第１操作と同じ操作であるので、ユーザーは、前記データの表示対象期間を所定期間から異なる期間へ切り替えるときの操作と、前記データの表示対象期間を当該異なる期間から前記所定期間へ切り替えるときの操作とを、容易に行うことができる。
【００２３】
［適用例８］
本適用例に係る携帯型電子機器において、前記所定期間は、前記異なる期間の一部であってもよい。
【００２４】
前記所定期間は、前記異なる期間の一部であるので、ユーザーは、時間的に重複する相対的に長い期間のデータと相対的に短い期間のデータとを比較することができる。
【００２５】
［適用例９］
本適用例に係る携帯型電子機器において、前記所定期間は１日であり、前記異なる期間は１週間であってもよい。
【００２６】
前記所定期間は１日であり、前記異なる期間は１週間であるので、ユーザーは、１日のデータと１週間のデータとを比較することができる。
【００２７】
［適用例１０］
本適用例に係る携帯型電子機器において、前記表示対象項目には、生活における活動量に関する項目と、運動におけるパフォーマンスに関する項目との少なくとも一方が含まれる。
【００２８】
前記表示対象項目には、生活における活動量に関する項目と、運動におけるパフォーマンスに関する項目との少なくとも一方が含まれるので、ユーザーは、活動量のデータと、パフォーマンスのデータとの少なくとも一方を確認することができる。
【００２９】
［適用例１１］
本適用例に係る携帯型電子機器において、前記活動量に関する項目には、距離、時間、歩数、ペース、ピッチ、歩幅、上昇階数、上昇階段数、心拍、酸素摂取量、発汗量、水分摂取量、消費カロリー、摂取カロリー、カロリー収支、体重、ウエストサイズ、睡眠時間、睡眠の質、睡眠の質のバランス、緊張時間とリラックス時間とのバランス、目標達成度、紫外線量のうち少なくとも１つの項目が含まれてもよい。
【００３０】
これらの項目の少なくとも１つは、ユーザーの生活における活動示す項目である。したがって、ユーザーは、これらの項目の少なくとも１つのデータを自分の生活の参考にすることができる。
【００３１】
［適用例１２］
本適用例に係る携帯型電子機器において、前記パフォーマンスに関する項目には、距離
、時間、歩数、ペース、ピッチ、歩幅、上昇高度、下降高度、標高、勾配、トレーニング回数、目標達成度、姿勢、左右差、接地時間、真下着地率、推進効率、脚の流れ、着地ブレーキ量、着地衝撃、心拍数、酸素摂取量、発汗量、水分摂取量、消費カロリー、所定条件における予想運動距離、所定の心拍ゾーンに到達するまでの時間、所定条件での予想ペース、所定条件での予想ピッチ、所定条件での予想歩幅、所定条件での予想タイム、所定条件での予想消費カロリー、自動生成された目標、紫外線量のうち少なくとも１つの項目が含まれてもよい。
【００３２】
これらの項目の少なくとも１つは、ユーザーの運動を示す項目である。したがって、ユーザーは、これらの項目の少なくとも１つのデータを自分の運動の参考にすることができる。
【００３３】
［適用例１３］
本適用例に係る携帯型電子機器は、前記ユーザーの所定部位へ装着可能であってもよい。
【００３４】
したがって、ユーザーは、携帯型電子機器を手に持たなくても、携帯型電子機器を携帯した状態で身体活動を行うことができる。
【００３５】
［適用例１４］
本適用例に係る携帯型電子機器において、前記所定部位は、前記ユーザーの腕又は手首であってもよい。
【００３６】
したがって、ユーザーは、携帯型電子機器を腕時計等と同様の感覚で使用することができる。
【００３７】
［適用例１５］
本適用例に係る携帯型電子機器の表示方法は、入力部がユーザーによる操作の入力を受け付けることと、センサーが前記ユーザーの身体活動に関連する検出を行うことと、表示部が前記センサーの出力を用いてデータを表示することと、所定項目の所定期間におけるデータが前記表示部に表示されているときに前記入力部が第１操作の入力を受け付けた場合に、前記表示部に表示するデータの表示対象項目を前記所定項目に維持し、かつ前記表示部に表示するデータの表示対象期間を前記所定期間とは長さが異なる期間へ変更することとを含む。
【００３８】
携帯型電子機器は、パーソナルコンピューターなどの設置型機器とは異なり、表示部のサイズに制約があるため、多くのデータを同一画面内へ同時に表示させると、個々のデータが見にくくなる虞がある。しかし、当該表示方法では、所定項目の所定期間における前記データが表示されているときに第１操作の入力を受け付けた場合に、前記データの表示対象項目を前記所定項目に維持し、かつ前記データの表示対象期間を前記所定期間とは長さが異なる期間へ変更する。この場合、ユーザーは、第１操作によって、前記データの表示対象項目を維持したまま表示対象期間を切り替えることができる。したがって、ユーザーは、第１操作の前後における表示内容の変化により、項目が共通かつ期間の異なる２つのデータを比較することができる。
【００３９】
［適用例１６］
本適用例に係る携帯型電子機器の表示プログラムは、ユーザーによる操作の入力を受け付けることと、前記ユーザーの身体活動に関連する検出を行うことと、前記センサーの出力を用いてデータを表示することと、所定項目の所定期間におけるデータが表示されているときに第１操作の入力を受け付けた場合に、前記表示することの表示対象項目を前記所
定項目に維持し、かつ前記表示することの表示対象期間を前記所定期間とは長さが異なる期間へ変更することと、をコンピューターに実行させる。
【００４０】
携帯型電子機器は、パーソナルコンピューターなどの設置型機器とは異なり、表示部のサイズに制約があるため、多くのデータを同一画面内へ同時に表示させると、個々のデータが見にくくなる虞がある。しかし、当該表示プログラムでは、所定項目の所定期間における前記データが表示されているときに第１操作の入力を受け付けた場合に、前記データの表示対象項目を前記所定項目に維持し、かつ前記データの表示対象期間を前記所定期間とは長さが異なる期間へ変更する。この場合、ユーザーは、第１操作によって、前記データの表示対象項目を維持したまま表示対象期間を切り替えることができる。したがって、ユーザーは、第１操作の前後における表示内容の変化により、項目が共通かつ期間の異なる２つのデータを比較することができる。
【図面の簡単な説明】
【００４１】
【図１】第１実施形態における電子機器１の概要を説明するための図である。
【図２】電子機器を含むシステムの構成を説明するための機能ブロック図である。
【図３】電子機器１との間におけるデータ転送に関する情報端末２の処理を説明するためのフローチャートである。
【図４】サーバー４との間における情報通信に関する情報端末２の処理を説明するためのフローチャートである。
【図５】達成度画面の一例である。
【図６】運動時間画面の一例である。
【図７】消費カロリー画面の一例である。
【図８】歩数画面の一例である。
【図９】睡眠時間画面の一例である。
【図１０】心バランス画面の一例である。
【図１１】活動量表示モードにおける画面の遷移を示す図である。
【図１２】活動量表示モードにおける電子機器１の処理部１２０の処理を示すフローチャートである。
【発明を実施するための形態】
【００４２】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００４３】
１．電子機器の実施形態
１−１．電子機器の概要
図１は、第１実施形態における電子機器の概要を説明するための図である。
【００４４】
図１に示すように、本実施形態における電子機器１（装着可能な携帯型電子機器の一例）は、ユーザーの身体の一部へ装着される携帯情報機器である。必要なときにユーザーが目視できるよう、電子機器１の装着先は、例えば、肘から手に至る部位（前腕）である（所定部位の一例）。
【００４５】
図１に示す例では、電子機器１はリスト型（腕時計型）の携帯情報機器として構成され、ユーザーの手首へ装着するための装着具であるベルト１Ｂを有している。また、電子機器１の表示部１７０の外縁部には、例えばメカスイッチで構成された４つの操作ボタン１５０Ｂ、１５０Ａ、１５０Ｃ、１５０Ｄが設けられている。なお、操作ボタンは、操作の入力を受け付ける入力部の一例である。
【００４６】
ここで、表示部１７０の中央を基準とした各方向を、表示部１７０を１２時制針式時計の文字盤であると仮定した場合の時刻で表現するならば、図１において、表示部１７０における操作ボタン１５０Ｂの位置は、表示部１７０の１０時の位置であり、操作ボタン１５０Ａの位置は、表示部１７０の８時の位置であり、操作ボタン１５０Ｃの位置は、表示部１７０の２時の位置であり、操作ボタン１５０Ｄの位置は、表示部１７０の４時の位置である。なお、表示部１７０の形状は図１に示した円盤状に限定されることはなく、表示部１７０における操作ボタン１５０Ｂ〜１５０Ｄの位置および個数は図１に示したものに限定されることはない。
【００４７】
さて、図１では、電子機器１が時刻表示モードにあるときの様子を示している。時刻表示モードにおける表示部１７０には、例えば、現在の日時、曜日、午前午後の別などが数値イメージとして表示される。
【００４８】
操作ボタン１５０Ｂには、例えば、ライト点灯指示及び消灯指示をユーザーが電子機器１へ入力するための機能が割り付けられている。
【００４９】
操作ボタン１５０Ａには、電子機器１のモード切り替えの指示をユーザーが電子機器１へ入力するための機能が割り付けられている。但し、電子機器１がメニュー表示モードにあるとき（メニュー画面が表示されている期間中）は、ユーザーが決定指示（設定指示）を電子機器１へ入力するための機能が操作ボタン１５０Ａに割り付けられる。
【００５０】
操作ボタン１５０Ｃには、ユーザーがスプリットタイム等の計測開始指示及び計測終了指示を電子機器１へ入力するための機能が割り付けられている。また、電子機器１がメニュー表示モードにあるとき（メニュー画面が表示されている期間中）は、メニュー画面におけるカーソルの上方向への移動指示を電子機器１へ入力するための機能が操作ボタン１５０Ｃに割り付けられる。
【００５１】
操作ボタン１５０Ｄには、メニュー画面の呼び出し指示を電子機器１へ入力するための機能が割り付けられている。但し、スプリットタイムの計測中には、ユーザーがラップの記録指示を電子機器１へ入力するための機能が操作ボタン１５０Ｄに割り付けられる。電子機器１がメニュー表示モードにあるとき（メニュー画面が表示されている期間中）は、カーソルの下方向への移動指示を電子機器１へ入力するための機能が操作ボタン１５０Ｄに割り付けられる。
【００５２】
以上の電子機器１は、計時機能の他、脈拍検出機能などの各種のセンシング機能を搭載しており、活動量計として動作する。活動量計としての電子機器１は、各種のセンシング機能を活用してユーザーの活動量を計測（活動量計測）する。ここで「活動量」には、ユーザーの生体情報に関する項目と、ユーザーの行動情報に関する項目とが含まれる。また、「脈拍」は、心臓が全身に血液を送り出す拍動（心拍）の変化が身体の各部における動脈に伝わった脈動のことである。以下の説明で「脈拍」又は「脈」と記載する箇所は、技術的に置換可能な範囲において、適宜「心拍」と読み替えることが可能であるとする。
【００５３】
生体情報に関する項目には、例えば、睡眠時間、心バランスなどが含まれる（「心バランス」とは、ユーザーの興奮状態とリラックス状態とのバランスのことであり、例えば、非運動中にユーザーが興奮状態にある時間と、非運動中にユーザーがリラックス状態にある時間との割合のことである。）。これらの項目の計測には、後述する脈センサー、加速度センサー、角速度センサーなどが用いられる。なお、生体情報の計測には、他のセンサーを組み合わせてもよいし、一部のセンサーを用いなくてもよい。
【００５４】
行動情報に関する項目は、例えば、歩数、運動時間、消費カロリー、移動距離、達成度
（後述）などが含まれる。これらの項目の計測には、後述する脈センサー、加速度センサー、角速度センサー、ＧＰＳセンサー（GPS：Global Positioning System）、地磁気センサー、気圧センサーなどが用いられる。なお、行動情報の計測には、他のセンサーを組み合わせてもよいし、一部のセンサーを用いなくてもよい。
【００５５】
そして、電子機器１は、各項目のデータ（活動量データ）についてロギングを行う。ここで、「ロギング」とは、例えば活動量計測のことであって、データを記録することを指す。また、「活動量データのロギング」とは、活動量データの履歴を記録すること（つまりデータを時系列または個々のデータが特定可能な形で記録すること）を指す。なお、活動量データは、身体活動に関連するデータの一例である。
【００５６】
１−２．ユーザー動作の概要
事前準備では、ユーザーは、電子機器１の表示部１７０にメニュー画面を表示させ、身長、体重、年齢、性別、体脂肪率など、自分の身体に関するデータ（ユーザー身体データ）の入力を行う。また、ユーザーは、メニュー画面において、活動量計測を電子機器１に開始させると共に、項目ごとの目標を入力し、電子機器１を時刻表示モードに戻す。
【００５７】
ユーザーが入力可能な項目ごとの目標（ユーザー目標データ）には、例えば、歩数の目標（目標歩数）、運動時間の目標（目標運動時間）、消費カロリーの目標（目標消費カロリー）、睡眠時間の目標（目標睡眠時間）、心バランスの目標（目標心バランス）、移動距離の目標（目標移動距離）などがある。また、ユーザーが入力できる項目ごとの目標には、１週間以内で達成すべき目標（長期的な目標）と、１日ごとに達成すべき目標（短期的な目標）とがある。但し、ユーザーがこれら複数の目標の全てを電子機器１に入力することは必須ではない。例えば、複数の目標の一部のみをユーザーが入力してもよいし、全ての目標の入力をユーザーが省略してもよい。また、複数の目標の一部又は全部の入力が省略された場合は、当該一部又は全部の表示が省略される。
【００５８】
その後、ユーザーは、電子機器１を腕に装着した状態で例えば１週間に亘って生活する。電子機器１は活動量計測を行う。この期間、電子機器は時計画面を表示していても、表示を行わないときがあってもよい。生活中に、適宜、ユーザーは、電子機器１の表示部１７０へ活動量データを表示させ、生活の改善をする機会を得ることができる（活動量データの表示の詳細は後述する）。
【００５９】
活動量計測の開始から例えば１週間後、ユーザーは、電子機器１の表示部１７０にメニュー画面を表示させ、活動量計測を電子機器１に終了させると、電子機器１を時刻表示モードに戻す。
【００６０】
さらに、ユーザーは、スマートフォン、タブレットＰＣ、デスクトップＰＣ等の情報端末へ近距離無線通信などを介して電子機器１を接続することで、電子機器１に蓄積されたログデータ（ユーザー活動量データ）、ユーザー目標データ、ユーザー身体データを、情報端末へ転送することができる。
【００６１】
また、ユーザーは、情報端末をインターネットなどのネットワークを介してサーバーへ接続することで、ユーザー活動量データ、ユーザー目標データ、ユーザー身体データをサーバーへアップロードし、サーバーへ保管させることもできる。
【００６２】
また、ユーザーは、所望のタイミングで情報端末をインターネットなどのネットワークを介してサーバーへ接続することで、自分のユーザー活動量データを情報端末にて確認することができる。また、その際に、ユーザーは、サーバーから各種の付随情報（アプリケーションソフトウエアプログラム、地図データなど）の提供を受けることもできる。
【００６３】
なお、ユーザーは、予め、例えば情報端末をインターネットなどのネットワークを介してサーバーへ接続し、電子機器１のＩＤ（識別情報）、ユーザーのＩＤ（識別情報）などの登録情報をサーバーへ送信することにより、サーバーに対するユーザー登録を完了させたものと仮定する。登録後、ユーザーは、ユーザー活動量データを保管するサービスの提供及び前述した付随情報（アプリケーションソフトウエアプログラム、地図データなど）の提供をサーバーから受けることが可能となる。
【００６４】
１−３．電子機器等の構成
図２は、電子機器を含むシステムの構成を説明するための機能ブロック図である。
【００６５】
本実施形態のシステムには、電子機器１と情報端末２とサーバー４とが含まれ、情報端末２とサーバー４とはインターネットなどのネットワーク３を介して接続される。また、電子機器１と情報端末２とは例えば近距離無線通信などを介して通信することが可能である。
【００６６】
図２に示すように、電子機器１は、ＧＰＳセンサー１１０、地磁気センサー１１１、気圧センサー１１２、加速度センサー１１３、角速度センサー１１４、脈センサー１１５、温度センサー１１６、処理部１２０、記憶部１３０、操作部１５０（入力部の一例）、計時部１６０、表示部１７０、音出力部１８０、通信部１９０などを含んで構成される。但し、電子機器１の構成は、これらの構成要素の一部を削除又は変更し、或いは他の構成要素（例えば、湿度センサー、紫外線センサーなど）を追加したものであってもよい。
【００６７】
ＧＰＳセンサー１１０は、電子機器１の位置などを示す測位データ（緯度、経度、高度、速度ベクトルなどのデータ）を生成して処理部１２０（入力部、処理部の一例）へ出力するセンサーであって、例えばＧＰＳ受信機（GPS: Global Positioning System）等を含んで構成される。ＧＰＳセンサー１１０は、外部から到来する所定周波数帯域の電磁波を不図示のＧＰＳアンテナで受信し、ＧＰＳ衛星からのＧＰＳ信号を抽出すると共に、当該ＧＰＳ信号に基づき電子機器１の位置などを示す測位データを生成する。
【００６８】
地磁気センサー１１１は、電子機器１から見た地球の磁場の方向を示す地磁気ベクトルを検出するセンサーであって、例えば、互いに直交する３つの軸方向の磁束密度を示す地磁気データを生成する。地磁気センサー１１１には、例えば、ＭＲ（Magnet resistive）素子、ＭＩ（Magnet impedance）素子、ホール素子などが用いられる。
【００６９】
気圧センサー１１２は、周辺の気圧（大気圧）を検出するセンサーであって、例えば、振動片の共振周波数の変化を利用する方式（振動方式）の感圧素子を有している。この感圧素子は、例えば、水晶、ニオブ酸リチウム、タンタル酸リチウム等の圧電材料で形成された圧電振動子であり、例えば、音叉型振動子、双音叉型振動子、ＡＴ振動子（厚みすべり振動子）、ＳＡＷ共振子などが適用される。なお、気圧センサー１１２の出力は、測位データを補正するために使用されてもよい。
【００７０】
加速度センサー１１３は、互いに交差する（理想的には直交する）３軸方向の各々の加速度を検出し、検出した３軸加速度の大きさ及び向きに応じたデジタル信号（加速度データ）を出力する慣性センサーである。なお、加速度センサー１１３の出力は、ＧＰＳセンサー１１０の測位データに含まれる位置の情報を補正するために使用されてもよい。
【００７１】
角速度センサー１１４は、互いに交差する（理想的には直交する）３軸方向の各々の角速度を検出し、計測した３軸角速度の大きさ及び向きに応じたデジタル信号（角速度データ）を出力する慣性センサーである。なお、角速度センサー１１４の出力は、ＧＰＳセン
サー１１０の測位データに含まれる位置の情報を補正するために使用されてもよい。
【００７２】
脈センサー１１５は、ユーザーの脈拍を示す信号を生成して処理部１２０へ出力するセンサーであって、例えば、適当な波長を有した計測光を皮下の血管に向けて照射するＬＥＤ光源（LED: Light Emitting Diode）などの光源と、当該計測光に応じて血管で発生した光の強度変化を検出する受光素子とを有している。なお、光の強度変化波形（脈波）を周波数解析など公知の手法により処理することで、脈拍数（１分間当たりの脈拍数）を計測することができる。なお、脈センサー１１５としては、光源及び受光素子からなる光電センサーに代えて、超音波により血管の収縮を検出して脈拍数を計測する超音波センサーを採用してもよく、電極から微弱電流を体内に流して脈拍数を計測するセンサー等を採用してもよい。
【００７３】
温度センサー１１６は、周辺の温度に応じた信号（例えば、温度に応じた電圧）を出力する感温素子である。なお、温度センサー１１６は、温度に応じたデジタル信号を出力するものであってもよい。
【００７４】
処理部１２０は、例えば、ＭＰＵ（Micro Processing Unit）、ＤＳＰ（Digital Signal Processor）、ＡＳＩＣ（Application Specific Integrated Circuit）等により構成される。処理部１２０は、記憶部１３０に格納されたプログラム（表示プログラムの一例）と、操作部１５０を介してユーザーが入力した各種のコマンドとに従い各種の処理を行う。処理部１２０による処理には、ＧＰＳセンサー１１０、地磁気センサー１１１、気圧センサー１１２、加速度センサー１１３、角速度センサー１１４、脈センサー１１５、温度センサー１１６、計時部１６０などが生成するデータへのデータ処理、表示部１７０へ画像を表示させる表示処理、音出力部１８０に音を出力させる音出力処理などが含まれる。また、処理部１２０は、適宜、歩数算出部１２１、運動時間算出部１２２、カロリー算出部１２３、睡眠時間算出部１２４、心バランス算出部１２５、移動距離算出部１２６、達成度算出部１２７として機能する。なお、歩数算出部１２１、運動時間算出部１２２、カロリー算出部１２３、睡眠時間算出部１２４、心バランス算出部１２５、移動距離算出部１２６、達成度算出部１２７の詳細については後述する。
【００７５】
記憶部１３０は、例えば１又は複数のＩＣメモリーなどにより構成され、プログラムなどのデータが記憶されるＲＯＭと、処理部１２０の作業領域となるＲＡＭとを有する。なお、ＲＡＭには不揮発性のＲＡＭも含まれ、不揮発性のＲＡＭには、ユーザー目標データ１３２、ユーザー活動量データ１３３、ユーザー身体データ１３４などの記憶領域が確保されている。また、ユーザー活動量データ１３３は、例えば、データテーブルの形式で記憶部１３０に記憶される。このデータテーブルは、例えば、センシングデータを、項目ごと、かつ期間ごとに格納したものである。処理部１２０は、後述する表示対象項目の切り替え、表示対象期間の切り替えなどを、このデータテーブルに基づき行うことができる。
【００７６】
操作部１５０は、例えばボタン、キー、マイク、タッチパネル、音声認識機能（不図示のマイクロフォンを利用）、アクション検出機能（加速度センサー１１３などを利用）などで構成され、ユーザーからの指示を適当な信号に変換して処理部１２０へ送る処理を行う。前述した操作ボタン１５０Ｂ、１５０Ａ、１５０Ｃ、１５０Ｄは、操作部１５０に含まれる。
【００７７】
計時部１６０は、例えば、リアルタイムクロック（ＲＴＣ：Real Time Clock）ＩＣなどにより構成され、年、月、日、時、分、秒等の時刻データを生成して処理部１２０に送る。
【００７８】
表示部１７０は、例えばＬＣＤ（Liquid Crystal Display）、有機ＥＬ（Electrolumin
escence）ディスプレイ、ＥＰＤ（Electrophoretic Display）、タッチパネル型ディスプレイ等で構成され、処理部１２０からの指示に従って各種の画像を表示する。
【００７９】
音出力部１８０は、例えばスピーカー、ブザー、バイブレーターなどで構成され、処理部１２０からの指示に従って各種の音（又は振動）を発生させる。
【００８０】
通信部１９０は、電子機器１と情報端末２（スマートフォンなど）との間のデータ通信を成立させるための各種制御を行う。通信部１９０は、例えば、Bluetooth（登録商標）（BTLE：Bluetooth Low Energyを含む）、Ｗｉ−Ｆｉ（登録商標）（Wi-Fi:Wireless Fidelity）、Ｚｉｇｂｅｅ（登録商標）、ＮＦＣ（Near field communication）、ＡＮＴ＋（登録商標）等の近距離無線通信規格に対応した送受信機を含んで構成される。
【００８１】
情報端末２は、インターネットなどのネットワーク３に接続可能なスマートフォン、タブレットＰＣ、デスクトップＰＣなどの情報端末であって、電子機器１の通信部１９０に対応した不図示の通信部を搭載している。また、情報端末２の記憶部（不図示）には、電子機器１を制御するためのプログラムなどがインストールされており、情報端末２は、少なくとも電子機器１に接続された際には、このプログラムに従って動作する。このプログラムは、例えば、インターネットなどのネットワーク３を介してサーバー４からダウンロードされたものである。
【００８２】
サーバー４は、インターネットなどのネットワーク３に接続されたサーバーである。サーバー４には、電子機器１のユーザーからアップロードされたデータなどをユーザーごとに管理する機能が搭載されている。また、サーバー４には、電子機器１のユーザーに向けてプログラムや地図データなどを提供する機能も搭載されている。
【００８３】
１−４．処理部の詳細
以下、処理部１２０における歩数算出部１２１、運動時間算出部１２２、カロリー算出部１２３、睡眠時間算出部１２４、心バランス算出部１２５、移動距離算出部１２６、達成度算出部１２７について順に説明する。なお、以下に記載されている、使用するセンサーの組み合わせは一例であり、各項目の数値等を算出可能な公知の組み合わせが採用可能である。
【００８４】
１−４−１．歩数算出
歩数算出部１２１は、例えば、加速度センサー１１３の出力と、角速度センサー１１４の出力と、ユーザー身体データ１３４とに基づいて、ユーザーの歩数を計数する。なお、歩数の計数には、加速度センサー１１３およびＧＰＳセンサー１１０の少なくとも一方を用いることが可能である。また、歩数算出部１２１は、脈センサー１１５の出力に基づき心拍数が脂肪燃焼ゾーンに属するか否かを判定し、心拍数が脂肪燃焼ゾーンに属するときにおける歩数を計数してもよい。脂肪燃焼ゾーンは、ユーザー身体データ１３４に基づいて設定される。なお、脂肪燃焼ゾーンについては、特開２０１３−２２２５６号公報に記載されている。脂肪燃焼ゾーンは、心拍数と加速度との双方に基づき判定することもできる。
【００８５】
なお、歩数算出部１２１は、日付ごとの歩数と、現在時刻の属する日を含む１週間の歩数とをそれぞれ算出し、ユーザー活動量データ１３３へ書き込む。
【００８６】
１−４−２．運動時間算出
運動時間算出部１２２は、例えば、加速度センサー１１３の出力と、角速度センサー１１４の出力とに基づいて、ユーザーの通常の運動時間を算出する。この算出には、ＧＰＳセンサー１１０の出力が用いられてもよい。なお、運動時間算出部１２２は、脈センサー
１１５の出力に基づき心拍数が脂肪燃焼ゾーンに属するか否かを判定し、心拍数が脂肪燃焼ゾーンに属するときにおける運動時間を算出してもよい。
【００８７】
なお、運動時間算出部１２２は、日付ごとの運動時間と、現在時刻の属する日を含む１週間の運動時間とをそれぞれ算出し、ユーザー活動量データ１３３へ書き込む。
【００８８】
１−４−３．カロリー算出
カロリー算出部１２３は、例えば、ユーザー身体データ１３４と、脈センサー１１５の出力とに基づいて、消費カロリーを算出する。なお、カロリー算出部１２３は、ユーザー身体データ１３４に含まれる年齢、性別等に基づいてユーザーの基礎代謝量を設定し、消費カロリーの算出を基礎代謝量に基づき行う。消費カロリーの算出には、脈拍数、年齢、性別の情報を用いて算出する特開２００９−２８５４９８号公報に記載されているような方法や、体重および身長の情報を用いて基礎代謝量を求める公知の方法により算出される。
【００８９】
なお、カロリー算出部１２３は、ユーザーの食事情報に基づいて摂取カロリーの合計値を計算し、カロリー収支を算出してもよい。なお、ユーザーの食事情報は、例えば、操作部１５０を介してユーザーに手動で入力させることができる。
【００９０】
また、カロリー算出部１２３は、日付ごとの消費カロリーと、現在時刻の属する日を含む１週間の消費カロリーとをそれぞれ算出し、ユーザー活動量データ１３３へ書き込む。
【００９１】
１−４−４．睡眠時間算出
睡眠時間算出部１２４は、例えば、加速度センサー１１３の出力と、角速度センサー１１４の出力と、脈センサー１１５の出力とに基づいて、ユーザーの睡眠時間を算出する。なお、睡眠時間算出部１２４は、加速度センサー１１３の出力と、角速度センサー１１４の出力とに基づいて、ユーザーが睡眠中であるか否かを判定する。また、睡眠時間算出部１２４は、睡眠中における脈センサー１１５の出力に基づいて浅い睡眠中であるか深い睡眠中であるかを判定し、浅い睡眠時間と深い睡眠時間とをそれぞれ算出してもよい。
【００９２】
なお、睡眠時間算出部１２４は、日付ごとの睡眠時間と、現在時刻の属する日を含む１週間の睡眠時間とをそれぞれ算出し、ユーザー活動量データ１３３へ書き込む。
【００９３】
１−４−５．心バランス算出
心バランス算出部１２５は、例えば、加速度センサー１１３の出力と、角速度センサー１１４の出力と、ＧＰＳセンサー１１０の出力と、脈センサー１１５の出力とに基づいて、例えば、非運動中にユーザーが興奮状態にある時間（興奮時間）と、非運動中にユーザーがリラックス状態にある時間（リラックス時間）との割合（心バランス）を算出する。なお、算出される興奮時間は、運動中の興奮時間であってもよいし、算出されるリラックス時間は、運動中のリラックス時間であってもよい。
【００９４】
心バランス算出部１２５は、加速度センサー１１３の出力の推移が運動加速度範囲（運動に区分される加速度の推移の範囲）内でない場合であって、かつ、脈センサー１１５によって計測される計測脈拍数が運動脈拍数範囲（運動に区分される加速度の推移の範囲）内である場合には、ユーザーが運動によらない興奮状態（交感神経活性状態）にあると判定する。
【００９５】
心バランス算出部１２５は、加速度センサー１１３の出力の推移が運動加速度範囲（運動に区分される加速度の推移の範囲）内でない場合であって、かつ、脈センサー１１５によって計測される計測脈拍数が運動脈拍数範囲（運動に区分される加速度の推移の範囲）
内でない場合には、ユーザーがリラックスした状態（副交感神経活性状態）にあると判定する。
【００９６】
なお、心バランス算出部１２５は、公知の手法を用いて、脈センサー１１５によって計測される脈波から交感神経及び副交感神経の活性状態を表す指標ＨＦ／ＬＦ等を算出し、興奮状態又はリラックス状態を判定してもよい。
【００９７】
また、心バランス算出部１２５は、日付ごとの心バランスと、現在時刻の属する日を含む１週間の心バランスとをそれぞれ算出し、ユーザー活動量データ１３３へ書き込む。
【００９８】
１−４−６．移動距離算出
移動距離算出部１２６は、例えば、ＧＰＳセンサー１１０の出力と、地磁気センサー１１１の出力と、気圧センサー１１２の出力と、加速度センサー１１３の出力と、角速度センサー１１４の出力とに基づき、ユーザーの移動距離を算出する。
【００９９】
なお、移動距離算出部１２６は、ＧＰＳセンサー１１０の出力のみに基づいて移動距離を算出することも可能であるが、電子機器１のおかれた環境によっては、ＧＰＳ信号を受信できない場合もある。そこで、例えば、ＧＰＳセンサー１１０の出力に基づき算出される移動距離を、地磁気センサー１１１の出力と、気圧センサー１１２の出力と、加速度センサー１１３の出力と、角速度センサー１１４の出力との少なくとも１つに基づき適宜に補正したり、ＧＰＳ信号が受信できない期間の移動距離を推定したりする。
【０１００】
また、移動距離算出部１２６は、日付ごとの移動距離と、現在時刻の属する日を含む１週間の移動距離とをそれぞれ算出し、ユーザー活動量データ１３３へ書き込む。
【０１０１】
１−４−７．達成度算出
達成度算出部１２７は、算出された歩数（算出歩数）、運動時間（算出運動時間）、消費カロリー（算出消費カロリー）、睡眠時間（算出睡眠時間）、心バランス（算出心バランス）、移動距離（算出移動距離）と、ユーザー目標データ１３２に含まれる目標歩数、目標運動時間、目標消費カロリー、目標睡眠時間、目標心バランス、目標移動距離とに基づき、目標歩数に対する算出歩数の割合（歩数の達成度）、目標運動時間に対する算出運動時間の割合（運動時間の達成度）、目標消費カロリーに対する算出消費カロリーの割合（消費カロリーの達成度）、目標睡眠時間に対する計測睡眠時間の割合（睡眠時間の達成度）、目標心バランスに対する計測心バランスの割合（心バランスの達成度）、目標移動距離に対する計測移動距離の割合（移動距離の達成度）の少なくとも１つを算出する。
【０１０２】
なお、達成度算出部１２７は、日付ごとの達成度と、現在時刻の属する日を含む１週間の達成度とをそれぞれ算出し、ユーザー活動量データ１３３へ書き込む。
【０１０３】
１−５．情報端末の処理
図３は、電子機器１との間におけるデータ転送に関する情報端末２の処理を説明するためのフローチャートである。以下、図３の各ステップを順に説明する。
【０１０４】
ステップＳ１２０：情報端末２は、近距離無線通信を介して電子機器１と通信が可能であるか否か（つまり情報端末２に電子機器１が接続されているか否か）を判定し（Ｓ１２０）、接続されていると判定した場合（Ｓ１２０Ｙ）は次の処理（Ｓ１３０）を開始し、そうでない場合（Ｓ１２０Ｎ）には待機する。
【０１０５】
ステップＳ１３０：情報端末２は、電子機器１の通信部１９０及び処理部１２０を介して電子機器１の記憶部１３０にアクセスし、記憶部１３０に格納されているユーザー目標
データ１３２、ユーザー活動量データ１３３、ユーザー身体データ１３４を読み込み、フローを終了する（Ｓ１３０）。なお、電子機器１から情報端末２へのデータの送信（データ転送）は、所定のフォーマットで行われる。
【０１０６】
図４は、サーバー４との間における情報通信に関する情報端末２の処理を説明するためのフローチャートである。以下、図４の各ステップを順に説明する。
【０１０７】
ステップＳ２１０：情報端末２は、ネットワーク３を介してサーバー４にユーザーＩＤを送信する（Ｓ２１０）。
【０１０８】
ステップＳ２３０：情報端末２は、ネットワーク３を介してサーバー４からアクセスの許可通知を受信したか否かを判定し（Ｓ２３０）、受信したと判定した場合（ユーザー認証が完了した場合）には（Ｓ２３０Ｙ）、次の処理（Ｓ２５０）を開始し、そうでない場合（Ｓ２３０Ｎ）には待機する。
【０１０９】
ステップＳ２５０：情報端末２は、ユーザー目標データ、ユーザー活動量データ、ユーザー身体データを、サーバー４へ送信し、フローを終了する（Ｓ２５０）。なお、情報端末２からサーバー４へのデータの送信（情報通信）は、所定のフォーマットで行われる。
【０１１０】
１−６．電子機器の処理
１−６−１．活動量データの各表示画面
以下、電子機器１における活動量データの表示画面について説明する。
【０１１１】
ユーザーは、電子機器１が時刻表示モード（図１）にあるときに、例えば、操作ボタン１５０Ａを１回押下することにより、電子機器１を活動量表示モードに移行させることができる。ここでは、活動量表示モードにおける画面として１２個の表示画面（後述する図１１の（ａ）〜（ｆ’）を参照）が用意されたと仮定する。表示画面（ａ）〜（ｆ’）の概要は、以下のとおりである。
【０１１２】
（ａ）現在時刻の属する１日（所定期間の一例、「異なる期間の一部」の一例、第１の期間）における達成度項目（所定項目の一例）の表示画面（以下、「当日の達成度画面」という。）。
【０１１３】
（ｂ）現在時刻の属する１日における運動時間項目（所定項目の一例）の表示画面（以下、「当日の運動時間画面」という。）。
【０１１４】
（ｆ）現在時刻の属する１日における消費カロリー項目（所定項目の一例）の表示画面（以下、「当日の消費カロリー画面」という。）。
【０１１５】
（ｄ）現在時刻の属する１日における歩数項目（所定項目の一例）の表示画面（以下、「当日の歩数画面」という。）。
【０１１６】
（ｅ）現在時刻の属する１日における睡眠時間項目（所定項目の一例）の表示画面（以下、「当日の睡眠時間画面」という。）。
【０１１７】
（ｆ）現在時刻の属する１日における心バランス項目（所定項目の一例）の表示画面（以下、「当日の心バランス画面」という。）。
【０１１８】
（ａ’）現在時刻の属する１週間（所定期間とは長さが異なる期間の一例、第２の期間）における達成度項目の表示画面（以下、「１週間の達成度画面」という。）。
【０１１９】
（ｂ’）現在時刻の属する１週間における運動時間項目の表示画面（以下、「１週間の運動時間画面」という。）
（ｃ’）現在時刻の属する１週間における消費カロリー項目の表示画面（以下、「１週間の消費カロリー画面」という。）
（ｄ’）現在時刻の属する１週間における歩数項目の表示画面（以下、「１週間の歩数画面」という。）
（ｅ’）現在時刻の属する１週間における睡眠時間項目の表示画面（以下、「１週間の睡眠時間画面」という。）
（ｆ’）現在時刻の属する１週間における心バランス項目の表示画面（以下、「１週間の心バランス画面」という。）
１−６−２．達成度画面
図５（ａ）は、当日の達成度画面を拡大したものであり、図５（ａ’）は、１週間の達成度画面を拡大したものである。
【０１２０】
図５（ａ）に示すとおり、当日の達成度画面には、例えば、運動時間のアイコン１７０Ｃ（躍動感のある人体のアイコン）と、現在時刻の属する日における運動時間の達成度の数値を表すテキストイメージ１７０Ｉ（「１％」）とが並べて配置されている。
【０１２１】
また、当日の達成度画面には、消費カロリーのアイコン１７０Ｄ（炎のアイコン）と、現在時刻の属する日における消費カロリーの達成度の数値を表すテキストイメージ１７０Ｊ（「２％」）とが並べて配置されている。
【０１２２】
また、当日の達成度画面には、歩数のアイコン１７０Ｅ（足跡のアイコン）と、現在時刻の属する日における歩数の達成度の数値を表すテキストイメージ１７０Ｋ（「３％」）とが並べて配置されている。
【０１２３】
また、当日の達成度画面には、現在時刻を表すテキストイメージ１７０Ａが配置されていてもよい。
【０１２４】
ここで、当日の達成度画面（図５（ａ））の表示中に、ユーザーが操作ボタン１５０Ｂを押下（第１操作の一例、ボタンを１回押すことの一例である。）すると、当日の達成度画面（図５（ａ））が１週間の達成度画面（図５（ａ’））へと切り替わる。
【０１２５】
つまり、当日の達成度画面（図５（ａ））の表示中における操作ボタン１５０Ｂには、表示対象項目を維持したまま表示対象期間を切り替える機能（期間切り替え機能）が割り当てられる。
【０１２６】
また、当日の達成度画面（図５（ａ））の表示中に、ユーザーが操作ボタン１５０Ａを押下すると、当日の達成度画面（図５（ａ））が当日の運動時間画面（図６（ｂ））へと切り替わる。
【０１２７】
つまり、当日の達成度画面（図５（ａ））の表示中における操作ボタン１５０Ａには、表示対象期間を維持したまま表示対象項目を切り替える機能（項目切り替え機能）が割り当てられる。
【０１２８】
次に、図５（ａ’）に示すとおり、１週間の達成度画面には、例えば、運動時間のアイコン１７０Ｃ（躍動感のある人体のアイコン）と、現在時刻の属する１週間における運動時間の達成度の数値を表す棒グラフイメージ１７０Ｆと、現在時刻の属する１週間における運動時間の達成度の数値を表すテキストイメージ１７０Ｉ’（「８％」）とが並べて配
置されている。
【０１２９】
また、１週間の達成度画面には、例えば、消費カロリーのアイコン１７０Ｄ（炎のアイコン）と、現在時刻の属する１週間における消費カロリーの達成度の数値を表す棒グラフイメージ１７０Ｇと、現在時刻の属する１週間における消費カロリーの達成度の数値を表すテキストイメージ１７０Ｊ’（「７２％」）とが並べて配置されている。
【０１３０】
また、１週間の達成度画面には、例えば、歩数のアイコン１７０Ｅ（足跡のアイコン）と、現在時刻の属する１週間における歩数の達成度の数値を表す棒グラフイメージ１７０Ｈと、現在時刻の属する１週間における歩数の達成度の数値を表すテキストイメージ１７０Ｋ’（「４７％」）とが並べて配置されている。
【０１３１】
また、１週間の達成度画面には、表示対象期間（１週間）を示すテキストイメージ１７０Ｂ（「１１／２１−１１/２７」）が配置されている。
【０１３２】
また、１週間の達成度画面には、現在の日付及び曜日を表すテキストイメージ１７０Ａ’が配置されていてもよい。
【０１３３】
ここで、１週間の達成度画面（図５（ａ’））の表示中に、ユーザーが操作ボタン１５０Ｂを押下（第２操作の一例、ボタンを１回押すことの一例、第１操作と同じ操作の一例である。）すると、１週間の達成度画面（図５（ａ’））が当日の達成度画面（図５（ａ））へと切り替わる。
【０１３４】
つまり、１週間の達成度画面（図５（ａ’））の表示中における操作ボタン１５０Ｂには、表示対象項目を維持したまま表示対象期間を切り替える機能（期間切り替え機能）が割り当てられる。
【０１３５】
また、１週間の達成度画面（図５（ａ’））の表示中に、ユーザーが操作ボタン１５０Ａを押下すると、１週間の達成度画面（図５（ａ’））が１週間の運動時間画面（図６（ｂ’））へと切り替わる。
【０１３６】
つまり、１週間の達成度画面（図５（ａ’））の表示中における操作ボタン１５０Ａには、表示対象期間を維持したまま表示対象項目を切り替える機能（項目切り替え機能）が割り当てられる。
【０１３７】
１−６−３．運動時間画面
図６（ｂ）は、当日の運動時間画面を拡大したものであり、図６（ｂ’）は、１週間の運動時間画面を拡大したものである。
【０１３８】
図６（ｂ）に示すとおり、当日の運動時間画面には、例えば、現在時刻の属する日における運動時間の数値を表すテキストイメージ１７０Ｌ（「００：０１’」）が配置されている。
【０１３９】
ここで、当日の運動時間画面（図６（ｂ））の表示中に、ユーザーが操作ボタン１５０Ｂを押下（第１操作の一例）すると、当日の運動時間画面（図６（ｂ））が１週間の運動時間画面（図６（ｂ’））へと切り替わる。
【０１４０】
つまり、当日の運動時間画面（図６（ｂ））の表示中における操作ボタン１５０Ｂには、表示対象項目を維持したまま表示対象期間を切り替える機能（期間切り替え機能）が割り当てられる。
【０１４１】
また、当日の運動時間画面（図６（ｂ））の表示中に、ユーザーが操作ボタン１５０Ａを押下すると、当日の運動時間画面（図６（ｂ））が当日の消費カロリー画面（図７（ｃ））へと切り替わる。
【０１４２】
つまり、当日の運動時間画面（図６（ｂ））の表示中における操作ボタン１５０Ａには、表示対象期間を維持したまま表示対象項目を切り替える機能（項目切り替え機能）が割り当てられる。
【０１４３】
次に、図６（ｂ’）に示すとおり、１週間の運動時間画面には、例えば、現在時刻の属する１週間における運動時間の数値を表すテキストイメージ１７０Ｌ’（「１時間」）が配置されている。
【０１４４】
また、１週間の運動時間画面には、例えば、現在時刻の属する１週間における１日ごとの運動時間の数値を表す棒グラフイメージ１７０Ｍが配置されている。
【０１４５】
また、１週間の運動時間画面には、表示対象期間（１週間）を示すテキストイメージ１７０Ｂ（「１１／２１−１１/２７」）が配置されている。
【０１４６】
ここで、１週間の運動時間画面（図６（ｂ’））の表示中に、ユーザーが操作ボタン１５０Ｂを押下（第２操作の一例）すると、１週間の運動時間画面（図６（ｂ’））が当日の運動時間画面（図６（ｂ））へと切り替わる。
【０１４７】
つまり、１週間の運動時間画面（図６（ｂ’））の表示中における操作ボタン１５０Ｂには、表示対象項目を維持したまま表示対象期間を切り替える機能（期間切り替え機能）が割り当てられる。
【０１４８】
また、１週間の運動時間画面（図６（ｂ’））の表示中に、ユーザーが操作ボタン１５０Ａを押下すると、１週間の運動時間画面（図６（ｂ’））が１週間の消費カロリー画面（図７（ｃ’））へと切り替わる。
【０１４９】
つまり、１週間の運動時間画面（図６（ｂ’））の表示中における操作ボタン１５０Ａには、表示対象期間を維持したまま表示対象項目を切り替える機能（項目切り替え機能）が割り当てられる。
【０１５０】
１−６−４．消費カロリー画面
図７（ｃ）は、当日の消費カロリー画面を拡大したものであり、図７（ｃ’）は、１週間の消費カロリー画面を拡大したものである。
【０１５１】
図７（ｃ）に示すとおり、当日の消費カロリー画面には、例えば、現在時刻の属する日における消費カロリーの数値を表すテキストイメージ１７０Ｐ（「１９１４ｋｃａｌ」）が配置されている。
【０１５２】
ここで、当日の消費カロリー画面（図７（ｃ））の表示中に、ユーザーが操作ボタン１５０Ｂを押下（第１操作の一例）すると、当日の消費カロリー画面（図７（ｃ））が１週間の消費カロリー画面（図７（ｃ’））へと切り替わる。
【０１５３】
つまり、当日の消費カロリー画面（図７（ｃ））の表示中における操作ボタン１５０Ｂには、表示対象項目を維持したまま表示対象期間を切り替える機能（期間切り替え機能）が割り当てられる。
【０１５４】
また、当日の消費カロリー画面（図７（ｃ））の表示中に、ユーザーが操作ボタン１５０Ａを押下すると、当日の消費カロリー画面（図７（ｃ））が当日の歩数画面（図８（ｄ））へと切り替わる。
【０１５５】
つまり、当日の消費カロリー画面（図７（ｃ））の表示中における操作ボタン１５０Ａには、表示対象期間を維持したまま表示対象項目を切り替える機能（項目切り替え機能）が割り当てられる。
【０１５６】
次に、図７（ｃ’）に示すとおり、１週間の消費カロリー画面には、例えば、現在時刻の属する１週間における消費カロリーの数値を表すテキストイメージ１７０Ｐ’（「４０００ｋｃａｌ」）が配置されている。
【０１５７】
また、１週間の消費カロリー画面には、例えば、現在時刻の属する１週間における１日ごとの消費カロリーの数値を表す棒グラフイメージ１７０ＭＰが配置されている。
【０１５８】
また、１週間の消費カロリー画面には、表示対象期間（１週間）を示すテキストイメージ１７０Ｂ（「１１／２１−１１/２７」）が配置されている。
【０１５９】
ここで、１週間の消費カロリー画面（図７（ｃ’））の表示中に、ユーザーが操作ボタン１５０Ｂを押下（第２操作の一例）すると、１週間の消費カロリー画面（図７（ｃ’））が当日の消費カロリー画面（図７（ｃ））へと切り替わる。
【０１６０】
つまり、１週間の消費カロリー画面（図７（ｃ’））の表示中における操作ボタン１５０Ｂには、表示対象項目を維持したまま表示対象期間を切り替える機能（期間切り替え機能）が割り当てられる。
【０１６１】
また、１週間の消費カロリー画面（図７（ｃ’））の表示中に、ユーザーが操作ボタン１５０Ａを押下すると、１週間の消費カロリー画面（図７（ｃ’））が１週間の歩数画面（図８（ｄ’））へと切り替わる。
【０１６２】
つまり、１週間の消費カロリー画面（図７（ｃ’））の表示中における操作ボタン１５０Ａには、表示対象期間を維持したまま表示対象項目を切り替える機能（項目切り替え機能）が割り当てられる。
【０１６３】
１−６−５．歩数画面
図８（ｄ）は、当日の歩数画面を拡大したものであり、図８（ｄ’）は、１週間の歩数画面を拡大したものである。
【０１６４】
図８（ｄ）に示すとおり、当日の歩数画面には、例えば、現在時刻の属する日における歩数の数値を表すテキストイメージ１７０Ｑ（「３８２８歩」）が配置されている。なお、図８（ｄ）では、歩数を表すテキストイメージ１７０Ｑと共に、移動距離の値を表すテキストイメージ（２３．２ｋｍ）が配置された例を示した。
【０１６５】
ここで、当日の歩数画面（図８（ｄ））の表示中に、ユーザーが操作ボタン１５０Ｂを押下（第１操作の一例）すると、当日の歩数画面（図８（ｄ））が１週間の歩数画面（図８（ｄ’））へと切り替わる。
【０１６６】
つまり、当日の歩数画面（図８（ｄ））の表示中における操作ボタン１５０Ｂには、表示対象項目を維持したまま表示対象期間を切り替える機能（期間切り替え機能）が割り当
てられる。
【０１６７】
また、当日の歩数画面（図８（ｄ））の表示中に、ユーザーが操作ボタン１５０Ａを押下すると、当日の歩数画面（図８（ｄ））が当日の睡眠時間画面（図９（ｅ））へと切り替わる。
【０１６８】
つまり、当日の歩数画面（図８（ｄ））の表示中における操作ボタン１５０Ａには、表示対象期間を維持したまま表示対象項目を切り替える機能（項目切り替え機能）が割り当てられる。
【０１６９】
次に、図８（ｄ’）に示すとおり、１週間の歩数画面には、例えば、現在時刻の属する１週間における歩数の数値を表すテキストイメージ１７０Ｑ’（「９００００歩」）が配置されている。
【０１７０】
また、１週間の歩数画面には、例えば、現在時刻の属する１週間における１日ごとの歩数の数値を表す棒グラフイメージ１７０ＭＱが配置されている。
【０１７１】
また、１週間の歩数画面には、表示対象期間（１週間）を示すテキストイメージ１７０Ｂ（「１１／２１−１１/２７」）が配置されている。
【０１７２】
ここで、１週間の歩数画面（図８（ｄ’））の表示中に、ユーザーが操作ボタン１５０Ｂを押下（第２操作の一例）すると、１週間の歩数画面（図８（ｄ’））が当日の歩数画面（図８（ｄ））へと切り替わる。
【０１７３】
つまり、１週間の歩数画面（図８（ｄ’））の表示中における操作ボタン１５０Ｂには、表示対象項目を維持したまま表示対象期間を切り替える機能（期間切り替え機能）が割り当てられる。
【０１７４】
また、１週間の歩数画面（図８（ｄ’））の表示中に、ユーザーが操作ボタン１５０Ａを押下すると、１週間の歩数画面（図８（ｄ’））が１週間の睡眠時間画面（図９（ｅ’））へと切り替わる。
【０１７５】
つまり、１週間の歩数画面（図８（ｄ’））の表示中における操作ボタン１５０Ａには、表示対象期間を維持したまま表示対象項目を切り替える機能（項目切り替え機能）が割り当てられる。
【０１７６】
１−６−６．睡眠時間画面
図９（ｅ）は、当日の睡眠時間画面を拡大したものであり、図９（ｅ’）は、１週間の睡眠時間画面を拡大したものである。
【０１７７】
図９（ｅ）に示すとおり、当日の睡眠時間画面には、例えば、浅い睡眠時間のアイコン（寝床のイメージ）１７０Ｒ１と、現在時刻の属する日における浅い睡眠時間の数値を表すテキストイメージ１７０Ｓ１（「０２：０４’」）とが並べて配置されている。
【０１７８】
また、当日の睡眠時間画面には、例えば、深い睡眠時間のアイコン１７０Ｒ２（寝床のイメージ及び「Ｚｚ」）と、現在時刻の属する日における深い睡眠時間の数値を表すテキストイメージ１７０Ｓ２（「０５：５７’」）とが並べて配置されている。
【０１７９】
ここで、当日の睡眠時間画面（図９（ｅ））の表示中に、ユーザーが操作ボタン１５０Ｂを押下（第１操作の一例）すると、当日の睡眠時間画面（図９（ｅ））が１週間の睡眠
時間画面（図９（ｅ’））へと切り替わる。
【０１８０】
つまり、当日の睡眠時間画面（図９（ｅ））の表示中における操作ボタン１５０Ｂには、表示対象項目を維持したまま表示対象期間を切り替える機能（期間切り替え機能）が割り当てられる。
【０１８１】
また、当日の睡眠時間画面（図９（ｅ））の表示中に、ユーザーが操作ボタン１５０Ａを押下すると、当日の睡眠時間画面（図９（ｅ））が当日の心バランス画面（図１０（ｆ））へと切り替わる。
【０１８２】
つまり、当日の睡眠時間画面（図９（ｅ））の表示中における操作ボタン１５０Ａには、表示対象期間を維持したまま表示対象項目を切り替える機能（項目切り替え機能）が割り当てられる。
【０１８３】
次に、図９（ｅ’）に示すとおり、１週間の睡眠時間画面には、例えば、現在時刻の属する１週間における睡眠時間の数値を表すテキストイメージ１７０Ｓ’（「１０時間」）が配置されている。
【０１８４】
また、１週間の睡眠時間画面には、例えば、現在時刻の属する１週間における１日ごとの浅い睡眠時間の数値を表す棒グラフイメージ１７０Ｍ−１が配置されている。
【０１８５】
また、１週間の睡眠時間画面には、例えば、現在時刻の属する１週間における１日ごとの深い睡眠時間の数値を表す棒グラフイメージ１７０Ｍ−２が配置されている。
【０１８６】
なお、図９には、互いに同日の睡眠時間を表す棒グラフイメージ１７０Ｍ−１と棒グラフイメージ１７０Ｍ−２とを同一のブロックの互いに異なる領域として表している。図９では、同一のブロックの濃度の高い領域が深い睡眠時間の棒グラフイメージ１７０Ｍ−２であり、濃度の低い領域が浅い睡眠時間の棒グラフイメージ１７０Ｍ−１である。
【０１８７】
また、１週間の睡眠時間画面には、表示対象期間（１週間）を示すテキストイメージ１７０Ｂ（「１１／２１−１１/２７」）が配置されている。
【０１８８】
ここで、１週間の睡眠時間画面（図９（ｅ’））の表示中に、ユーザーが操作ボタン１５０Ｂを押下（第２操作の一例）すると、１週間の睡眠時間画面（図９（ｅ’））が当日の睡眠時間画面（図９（ｅ））へと切り替わる。
【０１８９】
つまり、１週間の睡眠時間画面（図９（ｅ’））の表示中における操作ボタン１５０Ｂには、表示対象項目を維持したまま表示対象期間を切り替える機能（期間切り替え機能）が割り当てられる。
【０１９０】
また、１週間の睡眠時間画面（図９（ｅ’））の表示中に、ユーザーが操作ボタン１５０Ａを押下すると、１週間の睡眠時間画面（図９（ｅ’））が１週間の心バランス画面（図１０（ｆ’））へと切り替わる。
【０１９１】
つまり、１週間の睡眠時間画面（図９（ｅ’））の表示中における操作ボタン１５０Ａには、表示対象期間を維持したまま表示対象項目を切り替える機能（項目切り替え機能）が割り当てられる。
【０１９２】
１−６−７．心バランス画面
図１０（ｆ）は、当日の心バランス画面を拡大したものであり、図１０（ｆ’）は、１
週間の心バランス画面を拡大したものである。
【０１９３】
図１０（ｆ）に示すとおり、当日の心バランス画面には、例えば、リラックス時間のアイコン１７０Ｔ１と、現在時刻の属する日におけるリラックス時間の数値を表すテキストイメージ１７０Ｕ１（「００：２３’」）とが並べて配置されている。
【０１９４】
また、当日の心バランス画面には、例えば、興奮時間のアイコン１７０Ｔ２と、現在時刻の属する日における興奮時間の数値を表すテキストイメージ１７０Ｕ２（「０１：２０’」）とが並べて配置されている。
【０１９５】
ここで、当日の心バランス画面（図１０（ｆ））の表示中に、ユーザーが操作ボタン１５０Ｂを押下（第１操作の一例）すると、当日の心バランス画面（図１０（ｆ））が１週間の心バランス画面（図１０（ｆ’））へと切り替わる。
【０１９６】
つまり、当日の心バランス画面（図１０（ｆ））の表示中における操作ボタン１５０Ｂには、表示対象項目を維持したまま表示対象期間を切り替える機能（期間切り替え機能）が割り当てられる。
【０１９７】
また、当日の心バランス画面（図１０（ｆ））の表示中に、ユーザーが操作ボタン１５０Ａを押下すると、当日の心バランス画面（図１０（ｆ））が当日の達成度画面（図５（ａ））へと切り替わる。
【０１９８】
つまり、当日の心バランス間画面（図１０（ｆ））の表示中における操作ボタン１５０Ａには、表示対象期間を維持したまま表示対象項目を切り替える機能（項目切り替え機能）が割り当てられる。
【０１９９】
次に、図１０（ｆ’）に示すとおり、１週間の心バランス画面には、例えば、現在時刻の属する１週間におけるリラックス時間の数値を表すテキストイメージ１７０Ｕ’が配置されている。
【０２００】
また、１週間の心バランス画面には、例えば、リラックス時間のアイコン１７０Ｔ１と、現在時刻の属する１週間における１日ごとのリラックス時間の数値を表す棒グラフイメージ１７０Ｍ１とが並べて配置されている。
【０２０１】
また、１週間の心バランス画面には、例えば、興奮時間のアイコン１７０Ｔ２と、現在時刻の属する１週間における１日ごとの興奮時間の数値を表す棒グラフイメージ１７０Ｍ２とが並べて配置されている。
【０２０２】
なお、図１０（ｆ’）には、互いに同日の棒グラフイメージ１７０Ｍ１，Ｍ２を同一のブロックの互いに異なる領域として表している。図１０では、同一のブロックの濃度の低い領域がリラックス時間の棒グラフイメージ１７０Ｍ１であり、濃度の高い領域が興奮時間の棒グラフイメージ１７０Ｍ２である。
【０２０３】
また、１週間の心バランス画面には、表示対象期間（１週間）を示すテキストイメージ１７０Ｂ（「１１／２１−１１/２７」）が配置されている。
【０２０４】
ここで、１週間の心バランス画面（図１０（ｆ’））の表示中に、ユーザーが操作ボタン１５０Ｂを押下（第２操作の一例）すると、１週間の心バランス画面（図１０（ｆ’））が当日の心バランス画面（図１０（ｆ））へと切り替わる。
【０２０５】
つまり、１週間の心バランス画面（図１０（ｆ’））の表示中における操作ボタン１５０Ｂには、表示対象項目を維持したまま表示対象期間を切り替える機能（期間切り替え機能）が割り当てられる。
【０２０６】
また、１週間の心バランス画面（図１０（ｆ’））の表示中に、ユーザーが操作ボタン１５０Ａを押下すると、１週間の心バランス画面（図１０（ｆ’））が１週間の達成度画面（図５（ａ’））へと切り替わる。
【０２０７】
つまり、１週間の心バランス画面（図１０（ｆ’））の表示中における操作ボタン１５０Ａには、表示対象期間を維持したまま表示対象項目を切り替える機能（項目切り替え機能）が割り当てられる。
【０２０８】
１−７．画面の切り替えパターン
図１１は、活動量表示モードにおける画面の切り替えパターンを示す図である。
【０２０９】
図１１（ａ）は、当日の達成度画面であり、図１１（ｂ）は、当日の運動時間画面であり、図１１（ｃ）は、当日の消費カロリー画面であり、図１１（ｄ）は、当日の歩数画面であり、図１１（ｅ）は、当日の睡眠時間画面であり、図１１（ｆ）は、当日の心バランス画面である。また、図１１（ａ’）は、１週間の達成度画面であり、図１１（ｂ’）は、１週間の運動時間画面であり、図１１（ｃ’）は、１週間の消費カロリー画面であり、図１１（ｄ’）は、１週間の歩数画面であり、図１１（ｅ’）は、１週間の睡眠時間画面であり、図１１（ｆ’）は、１週間の心バランス画面である。
【０２１０】
図１１において、太い矢印で示すのが、操作ボタン１５０Ｂ（ここでは期間切り替え機能が割り当てられている）が押下操作（第１操作、第２操作の一例）されたときの画面切り替え方向を示しており、細い矢印で示すのが、操作ボタン１５０Ａ（ここでは項目切り替え機能が割り当てられている）が押下操作されたときの画面切り替え方向を示している。
【０２１１】
図１１に示すとおり、ユーザーは、電子機器１が活動量表示モードにあるときに操作ボタン１５０Ｂ（すなわち期間切り替え機能が割り当てられた操作ボタン）を押下することで、表示対象項目を維持したまま表示対象期間を「当日」と「１週間」との間で切り替えることができる。
【０２１２】
また、図１１に示すとおり、ユーザーは、表示対象期間が「当日」又は「１週間」にあるときに操作ボタン１５０Ａ（すなわち項目切り替え機能が割り当てられた操作ボタン）を繰り返し押下することで、表示対象期間を維持したまま表示対象項目を「達成度項目」、「運動時間項目」、「消費カロリー項目」、「歩数項目」、「睡眠時間項目」、「心バランス項目」の間で（サイクリックに）切り替えることができる。
【０２１３】
しかも、当該表示対象期間の切り替えに要するユーザーのアクションは、操作ボタンの押下又は押下という単一のアクション（ワンタッチ操作）であり、当該表示対象項目の切り替えに要するユーザーのアクションは、操作ボタンの押下という単一のアクション（ワンタッチ操作）である。
【０２１４】
したがって、電子機器１は、互いに異なる期間の活動量データを積極的に比較したり、互いに異なる項目の活動量データを積極的に比較したりするユーザーにとって使い勝手が良い。
【０２１５】
１−８．活動量表示モードのフロー
図１２は、活動量表示モードにおける電子機器１の処理部１２０の処理（表示方法の一例）を示すフローチャートである。図１２の概要は、以下のとおりである。
【０２１６】
図１２のステップＳ１〜Ｓ３は、当日の達成度画面に関する処理である。
【０２１７】
図１２のステップＳ１’〜Ｓ３’は、１週間の達成度画面に関する処理である。
【０２１８】
図１２のステップＳ４〜Ｓ６は、当日の運動時間画面に関する処理である。
【０２１９】
図１２のステップＳ４’〜Ｓ６’は、１週間の運動時間画面に関する処理である。
【０２２０】
図１２のステップＳ７〜Ｓ９は、当日の消費カロリー画面に関する処理である。
【０２２１】
図１２のステップＳ７’〜Ｓ９’は、１週間の消費カロリー画面に関する処理である。
【０２２２】
図１２のステップＳ１０〜Ｓ１２は、当日の歩数画面に関する処理である。
【０２２３】
図１２のステップＳ１０’〜Ｓ１２’は、１週間の歩数画面に関する処理である。
【０２２４】
図１２のステップＳ１３〜Ｓ１５は、当日の睡眠時間画面に関する処理である。
【０２２５】
図１２のステップＳ１３’〜Ｓ１５’は、１週間の睡眠時間画面に関する処理である。
【０２２６】
図１２のステップＳ１６〜Ｓ１８は、当日の心バランス画面に関する処理である。
【０２２７】
図１２のステップＳ１６’〜Ｓ１８’は、１週間の心バランス画面に関する処理である。
【０２２８】
１−８−１．当日の達成度画面に関する処理
当日の達成度画面に関する処理（Ｓ１〜Ｓ３）の詳細は、以下のとおりである。
【０２２９】
処理部１２０は、当日の達成度画面の表示処理（Ｓ１）を開始し、当日の達成度画面の表示中に操作ボタン１５０Ｂ（すなわち期間切り替え機能が割り当てられた操作ボタン）が押下されたか否かを判定する処理（Ｓ２）と、操作ボタン１５０Ａ（すなわち項目切り替え機能が割り当てられた操作ボタン）が押下されたか否かを判定する処理（Ｓ３）とを、繰り返し実行する（Ｓ２Ｎ、およびＳ３Ｎ）。そして、処理部１２０は、操作ボタン１５０Ｂ（すなわち期間切り替え機能が割り当てられた操作ボタン）が押下されたと判定した場合（Ｓ２Ｙ）には、表示対象期間の異なる画面（ここでは１週間の達成度画面）の表示処理（Ｓ１’）へ移行する。操作ボタン１５０Ａ（すなわち項目切り替え機能が割り当てられた操作ボタン）が押下されたと判定した場合（Ｓ３Ｙ）には、表示対象項目の異なる画面（ここでは当日の運動時間画面）の表示処理（Ｓ４）へ移行する。
【０２３０】
１−８−２．１週間の達成度画面に関する処理
１週間の達成度画面に関する処理（Ｓ１’〜Ｓ３’）の詳細は、以下のとおりである。
【０２３１】
処理部１２０は、１週間の達成度画面の表示処理（Ｓ１’）を開始し、１週間の達成度画面の表示中に操作ボタン１５０Ｂ（すなわち期間切り替え機能が割り当てられた操作ボタン）が押下されたか否かを判定する処理（Ｓ２’）と、操作ボタン１５０Ａ（すなわち項目切り替え機能が割り当てられた操作ボタン）が押下されたか否かを判定する処理（Ｓ３’）とを、繰り返し実行する（Ｓ２’Ｎ、およびＳ３’Ｎ）。そして、処理部１２０は
、操作ボタン１５０Ｂ（すなわち期間切り替え機能が割り当てられた操作ボタン）が押下されたと判定した場合（Ｓ２’Ｙ）には、表示対象期間の異なる画面（ここでは当日の達成度画面）の表示処理（Ｓ１）へ移行する。操作ボタン１５０Ａ（すなわち項目切り替え機能が割り当てられた操作ボタン）が押下されたと判定した場合（Ｓ３’Ｙ）には、表示対象項目の異なる画面（ここでは１週間の運動時間画面）の表示処理（Ｓ４’）へ移行する。
【０２３２】
１−８−３．当日の運動時間画面に関する処理
当日の運動時間画面に関する処理（Ｓ４〜Ｓ６）の詳細は、以下のとおりである。
【０２３３】
処理部１２０は、当日の運動時間画面の表示処理（Ｓ４）を開始し、当日の運動時間画面の表示中に操作ボタン１５０Ｂ（すなわち期間切り替え機能が割り当てられた操作ボタン）が押下されたか否かを判定する処理（Ｓ５）と、操作ボタン１５０Ａ（すなわち項目切り替え機能が割り当てられた操作ボタン）が押下されたか否かを判定する処理（Ｓ６）とを、繰り返し実行する（Ｓ５Ｎ、およびＳ６Ｎ）。そして、処理部１２０は、操作ボタン１５０Ｂ（すなわち期間切り替え機能が割り当てられた操作ボタン）が押下されたと判定した場合（Ｓ５Ｙ）には、表示対象期間の異なる画面（ここでは１週間の運動時間画面）の表示処理（Ｓ４’）へ移行する。操作ボタン１５０Ａ（すなわち項目切り替え機能が割り当てられた操作ボタン）が押下されたと判定した場合（Ｓ６Ｙ）には、表示対象項目の異なる画面（当日の消費カロリー画面）の表示処理（Ｓ７）へ移行する。
【０２３４】
１−８−４．１週間の運動時間画面に関する処理
１週間の運動時間画面に関する処理（Ｓ４’〜Ｓ６’）の詳細は、以下のとおりである。
【０２３５】
処理部１２０は、１週間の運動時間画面の表示処理（Ｓ４’）を開始し、１週間の運動時間画面の表示中に操作ボタン１５０Ｂ（すなわち期間切り替え機能が割り当てられた操作ボタン）が押下されたか否かを判定する処理（Ｓ５’）と、操作ボタン１５０Ａ（すなわち項目切り替え機能が割り当てられた操作ボタン）が押下されたか否かを判定する処理（Ｓ６’）とを、繰り返し実行する（Ｓ５’Ｎ、およびＳ６’Ｎ）。そして、処理部１２０は、操作ボタン１５０Ｂ（すなわち期間切り替え機能が割り当てられた操作ボタン）が押下されたと判定した場合（Ｓ５’Ｙ）には、表示対象期間の異なる画面（ここでは当日の運動時間画面）の表示処理（Ｓ４）へ移行する。操作ボタン１５０Ａ（すなわち項目切り替え機能が割り当てられた操作ボタン）が押下されたと判定した場合（Ｓ６’Ｙ）には、表示対象項目の異なる画面（１週間の消費カロリー画面）の表示処理（Ｓ７’）へ移行する。
【０２３６】
１−８−５．当日の消費カロリー画面に関する処理
当日の消費カロリー画面に関する処理（Ｓ７〜Ｓ９）の詳細は、以下のとおりである。
【０２３７】
処理部１２０は、当日の消費カロリー画面の表示処理（Ｓ７）を開始し、当日の消費カロリー画面の表示中に操作ボタン１５０Ｂ（すなわち期間切り替え機能が割り当てられた操作ボタン）が押下されたか否かを判定する処理（Ｓ８）と、操作ボタン１５０Ａ（すなわち項目切り替え機能が割り当てられた操作ボタン）が押下されたか否かを判定する処理（Ｓ９）とを、繰り返し実行する（Ｓ８Ｎ、およびＳ９Ｎ）。そして、処理部１２０は、操作ボタン１５０Ｂ（すなわち期間切り替え機能が割り当てられた操作ボタン）が押下されたと判定した場合（Ｓ８Ｙ）には、表示対象期間の異なる画面（ここでは１週間の消費カロリー画面）の表示処理（Ｓ７’）へ移行する。操作ボタン１５０Ａ（すなわち項目切り替え機能が割り当てられた操作ボタン）が押下されたと判定した場合（Ｓ９Ｙ）には、表示対象項目の異なる画面（当日の歩数画面）の表示処理（Ｓ１０）へ移行する。
【０２３８】
１−８−６．１週間消費カロリー画面に関する処理
１週間の消費カロリー画面に関する処理（Ｓ７’〜Ｓ９’）の詳細は、以下のとおりである。
【０２３９】
処理部１２０は、１週間の消費カロリー画面の表示処理（Ｓ７’）を開始し、１週間の消費カロリー画面の表示中に操作ボタン１５０Ｂ（すなわち期間切り替え機能が割り当てられた操作ボタン）が押下されたか否かを判定する処理（Ｓ８’）と、操作ボタン１５０Ａ（すなわち項目切り替え機能が割り当てられた操作ボタン）が押下されたか否かを判定する処理（Ｓ９’）とを、繰り返し実行する（Ｓ８’Ｎ、およびＳ９’Ｎ）。そして、処理部１２０は、操作ボタン１５０Ｂ（すなわち期間切り替え機能が割り当てられた操作ボタン）が押下されたと判定した場合（Ｓ８’Ｙ）には、表示対象期間の異なる画面（ここでは当日の消費カロリー画面）の表示処理（Ｓ７）へ移行する。操作ボタン１５０Ａ（すなわち項目切り替え機能が割り当てられた操作ボタン）が押下されたと判定した場合（Ｓ９’Ｙ）には、表示対象項目の異なる画面（１週間の歩数画面）の表示処理（Ｓ１０’）へ移行する。
【０２４０】
１−８−７．当日の歩数画面に関する処理
当日の歩数画面に関する処理（Ｓ１０〜Ｓ１２）の詳細は、以下のとおりである。
【０２４１】
処理部１２０は、当日の歩数画面の表示処理（Ｓ１０）を開始し、当日の歩数画面の表示中に操作ボタン１５０Ｂ（すなわち期間切り替え機能が割り当てられた操作ボタン）が押下されたか否かを判定する処理（Ｓ１１）と、操作ボタン１５０Ａ（すなわち項目切り替え機能が割り当てられた操作ボタン）が押下されたか否かを判定する処理（Ｓ１２）とを、繰り返し実行する（Ｓ１１Ｎ、およびＳ１２Ｎ））。そして、処理部１２０は、操作ボタン１５０Ｂ（すなわち期間切り替え機能が割り当てられた操作ボタン）が押下されたと判定した場合（Ｓ１１Ｙ）には、表示対象期間の異なる画面（ここでは１週間の歩数画面）の表示処理（Ｓ１０’）へ移行する。操作ボタン１５０Ａ（すなわち項目切り替え機能が割り当てられた操作ボタン）が押下されたと判定した場合（Ｓ１２Ｙ）には、表示対象項目の異なる画面（当日の睡眠時間画面）の表示処理（Ｓ１３）へ移行する。
【０２４２】
１−８−８．１週間の歩数画面に関する処理
１週間の歩数画面に関する処理（Ｓ１０’〜Ｓ１２’）の詳細は、以下のとおりである。
【０２４３】
処理部１２０は、１週間の歩数画面の表示処理（Ｓ１０’）を開始し、１週間の歩数画面の表示中に操作ボタン１５０Ｂ（すなわち期間切り替え機能が割り当てられた操作ボタン）が押下されたか否かを判定する処理（Ｓ１１’）と、操作ボタン１５０Ａ（すなわち項目切り替え機能が割り当てられた操作ボタン）が押下されたか否かを判定する処理（Ｓ１２’）とを、繰り返し実行する（Ｓ１１’Ｎ、およびＳ１２’Ｎ）。そして、処理部１２０は、操作ボタン１５０Ｂ（すなわち期間切り替え機能が割り当てられた操作ボタン）が押下されたと判定した場合（Ｓ１１’Ｙ）には、表示対象期間の異なる画面（ここでは当日の歩数画面）の表示処理（Ｓ１０）へ移行する。操作ボタン１５０Ａ（すなわち項目切り替え機能が割り当てられた操作ボタン）が押下されたと判定した場合（Ｓ１２’Ｙ）には、表示対象項目の異なる画面（１週間の睡眠時間画面）の表示処理（Ｓ１３’）へ移行する。
【０２４４】
１−８−９．当日の睡眠時間画面に関する処理
当日の睡眠時間画面に関する処理（Ｓ１３〜Ｓ１５）の詳細は、以下のとおりである。
【０２４５】
処理部１２０は、当日の睡眠時間画面の表示処理（Ｓ１３）を開始し、当日の睡眠時間画面の表示中に操作ボタン１５０Ｂ（すなわち期間切り替え機能が割り当てられた操作ボタン）が押下されたか否かを判定する処理（Ｓ１４）と、操作ボタン１５０Ａ（すなわち項目切り替え機能が割り当てられた操作ボタン）が押下されたか否かを判定する処理（Ｓ１５）とを、繰り返し実行する（Ｓ１４Ｎ、およびＳ１５Ｎ）。そして、処理部１２０は、操作ボタン１５０Ｂ（すなわち期間切り替え機能が割り当てられた操作ボタン）が押下されたと判定した場合（Ｓ１４Ｙ）には、表示対象期間の異なる画面（ここでは１週間の睡眠時間画面）の表示処理（Ｓ１３’）へ移行する。操作ボタン１５０Ａ（すなわち項目切り替え機能が割り当てられた操作ボタン）が押下されたと判定した場合（Ｓ１５Ｙ）には、表示対象項目の異なる画面（当日の心バランス画面）の表示処理（Ｓ１６）へ移行する。
【０２４６】
１−８−１０．１週間の睡眠時間画面に関する処理
１週間の睡眠時間画面に関する処理（Ｓ１３’〜Ｓ１５’）の詳細は、以下のとおりである。
【０２４７】
処理部１２０は、１週間の睡眠時間画面の表示処理（Ｓ１３’）を開始し、１週間の睡眠時間画面の表示中に操作ボタン１５０Ｂ（すなわち期間切り替え機能が割り当てられた操作ボタン）が押下されたか否かを判定する処理（Ｓ１４’）と、操作ボタン１５０Ａ（すなわち項目切り替え機能が割り当てられた操作ボタン）が押下されたか否かを判定する処理（Ｓ１５’）とを、繰り返し実行する（Ｓ１４’Ｎ、およびＳ１５’Ｎ）。そして、処理部１２０は、操作ボタン１５０Ｂ（すなわち期間切り替え機能が割り当てられた操作ボタン）が押下されたと判定した場合（Ｓ１４’Ｙ）には、表示対象期間の異なる画面（ここでは当日の睡眠時間画面）の表示処理（Ｓ１３）へ移行する。操作ボタン１５０Ａ（すなわち項目切り替え機能が割り当てられた操作ボタン）が押下されたと判定した場合（Ｓ１５’Ｙ）には、表示対象項目の異なる画面（１週間の心バランス画面）の表示処理（Ｓ１６’）へ移行する。
【０２４８】
１−８−１１．当日の心バランス画面に関する処理
当日の心バランス画面に関する処理（Ｓ１６〜Ｓ１８）の詳細は、以下のとおりである。
【０２４９】
処理部１２０は、当日の心バランス画面の表示処理（Ｓ１６）を開始し、当日の心バランス画面の表示中に操作ボタン１５０Ｂ（すなわち期間切り替え機能が割り当てられた操作ボタン）が押下されたか否かを判定する処理（Ｓ１７）と、操作ボタン１５０Ａ（すなわち項目切り替え機能が割り当てられた操作ボタン）が押下されたか否かを判定する処理（Ｓ１８）とを、繰り返し実行する（Ｓ１７Ｎ、およびＳ１８Ｎ）。そして、処理部１２０は、操作ボタン１５０Ｂ（すなわち期間切り替え機能が割り当てられた操作ボタン）が押下されたと判定した場合（Ｓ１７Ｙ）には、表示対象期間の異なる画面（ここでは１週間の心バランス画面）の表示処理（Ｓ１６’）へ移行する。操作ボタン１５０Ａ（すなわち項目切り替え機能が割り当てられた操作ボタン）が押下されたと判定した場合（Ｓ１８Ｙ）には、表示対象項目の異なる画面（当日の達成度画面）の表示処理（Ｓ１）へ移行する。
【０２５０】
１−８−１２．１週間の心バランス画面に関する処理
１週間の心バランス画面に関する処理（Ｓ１６’〜Ｓ１８’）の詳細は、以下のとおりである。
【０２５１】
処理部１２０は、１週間の心バランス画面の表示処理（Ｓ１６’）を開始し、１週間の心バランス画面の表示中に操作ボタン１５０Ｂ（すなわち期間切り替え機能が割り当てら
れた操作ボタン）が押下されたか否かを判定する処理（Ｓ１７’）と、操作ボタン１５０Ａ（すなわち項目切り替え機能が割り当てられた操作ボタン）が押下されたか否かを判定する処理（Ｓ１８’）とを、繰り返し実行する（Ｓ１７’Ｎ、およびＳ１８’Ｎ）。そして、処理部１２０は、操作ボタン１５０Ｂ（すなわち期間切り替え機能が割り当てられた操作ボタン）が押下されたと判定した場合（Ｓ１７’Ｙ）には、表示対象期間の異なる画面（ここでは当日の心バランス画面）の表示処理（Ｓ１６）へ移行する。操作ボタン１５０Ａ（すなわち項目切り替え機能が割り当てられた操作ボタン）が押下されたと判定した場合（Ｓ１８’Ｙ）には、表示対象項目の異なる画面（１週間の達成度画面）の表示処理（Ｓ１’）へ移行する。
【０２５２】
なお、図１２に示したステップは可能な範囲で入れ替えが可能である。例えば、期間切り替えと項目切り替えの判定とは並列に行われてもよい。また、図１２には示さなかったが、図１２に示すフローの実行中に他のモード（例えば時刻表示モード）への切り替え指示がユーザーから入力された場合、処理部１２０は、図１２に示すフローを中断して他のモードにおける処理を開始する。
【０２５３】
２．実施形態の作用効果
以上説明したとおり、本実施形態に係る電子機器１は、ユーザーによる操作の入力を受け付ける操作ボタン１５０Ｂと、ユーザーの活動量に関連する検出を行うセンサー１１０，１１１,…，１１６と、センサー１１０，１１１,…，１１６の出力を用いて活動量データを表示する表示部１７０と、達成度項目、運動時間項目、歩数項目、消費カロリー項目、睡眠時間項目、心バランス項目の何れかの項目の当日における活動量データが表示されているときに操作ボタン１５０Ｂの押下操作を受け付けた場合（Ｓ２Ｙ，Ｓ５Ｙ，Ｓ８Ｙ，Ｓ１１Ｙ，Ｓ１４Ｙ，Ｓ１７Ｙ）に、活動量データの表示対象項目を当該項目に維持し、かつ活動量データの表示対象期間を１週間へ変更する処理部１２０と、を含む。
【０２５４】
また、処理部１２０は、当該項目の１週間における活動量データが表示されているときに操作ボタン１５０Ｂの押下操作を受け付けた場合（Ｓ２’Ｙ，Ｓ５’Ｙ，Ｓ８’Ｙ，Ｓ１１’Ｙ，Ｓ１４’Ｙ，Ｓ１７’Ｙ）に、活動量データの表示対象項目を当該項目に維持し、かつ活動量データの表示対象期間を１週間から当日へ変更する。
【０２５５】
電子機器１は、携帯型であるので、パーソナルコンピューターなどの設置型機器とは異なり、表示部のサイズに制約がある。このため、多くのデータを同一画面内へ同時に表示させると、個々のデータが見にくくなる虞がある。しかし、電子機器１の処理部１２０は、或る項目の当日における活動量データが表示されているときに操作ボタン１５０Ｂの押下操作を受け付けた場合に、活動量データの表示対象項目を当該項目に維持し、かつ活動量データの表示対象期間を「当日」から「１週間」へと変更する。この場合、ユーザーは、基本的に、操作ボタン１５０Ｂの押下操作をするだけで、活動量データの表示対象項目を維持したまま表示対象期間を「当日」から「１週間」へと切り替えることができる。したがって、ユーザーは、操作ボタン１５０Ｂの押下操作の前後における表示内容の変化により、項目が共通の当日のデータと１週間のデータとを比較することができる。
【０２５６】
３．実施形態の変形例
３−１．ボタン操作について
上記実施形態の処理部１２０は、項目切り替え機能を操作ボタン１５０Ａに割り当てたが他の操作ボタンに割り当ててもよい。
【０２５７】
また、上記実施形態の処理部１２０は、期間切り替え機能を操作ボタン１５０Ｂに割り当てたが他のボタンに割り当ててもよい。
【０２５８】
また、上記実施形態の処理部１２０は、期間切り替え機能を１つの操作ボタン１５０Ｂに割り当てたが、「当日」から「１週間」へ切り替える機能と、「１週間」から「当日」へ切り替える機能とを、異なる操作ボタンに割り当ててもよい。どちらの期間を表示対象期間として選択しようとしているかをユーザーが容易に把握できる。
【０２５９】
また、上記実施形態の処理部１２０は、ユーザーによる操作ボタン１５０Ｂの押下操作を期間切り替え指示とみなしたが、期間切り替え指示とライト点等指示とを区別するために、ユーザーによる操作ボタン１５０Ｂの長押し操作をライト点灯指示とみなし、ユーザーによる操作ボタン１５０Ｂの短押し操作を期間切り替え指示とみなしてもよい。或いは、上記実施形態の処理部１２０は、ユーザーによる操作ボタン１５０Ｂの短押し操作をライト点灯指示とみなすと共に、ユーザーによる操作ボタン１５０Ｂの長押し操作を期間切り替え指示とみなしてもよい。
【０２６０】
また、上記実施形態の処理部１２０は、項目切り替え機能を特定の操作ボタン（操作ボタン１５０Ａ）へ割り当て、期間切り替え機能を特定の操作ボタン（操作ボタン１５０Ｂ）へ割り当てたが、表示対象期間を１週間に設定する機能及び項目切り替え機能（１週間ボタンの機能）を特定の操作ボタン（例えば操作ボタン１５０Ｃ）に割り当て、表示対象期間を当日に設定する機能及び項目切り替え機能（当日ボタンの機能）を特定の操作ボタン（例えば操作ボタン１５０Ｄ）に割り当ててもよい。専用のボタンにこれらの機能を割り当てると、ユーザーにとってよりシンプルで理解しやすい構成が実現できる。
【０２６１】
この場合、ユーザーは、表示対象期間が「当日」であるときに操作ボタン１５０Ｃ（１週間ボタン）を押下することで、表示対象項目を維持したまま表示対象期間を「１週間」に切り替えることができ、表示対象期間が「１週間」であるときに操作ボタン１５０Ｄ（当日ボタン）を押下することで、表示対象項目を維持したまま表示対象期間を「当日」に切り替えることができる。
【０２６２】
また、ユーザーは、表示対象期間が「当日」であるときに操作ボタン１５０Ｄ（当日ボタン）を押下することで表示対象期間を維持したまま表示対象項目を「達成度項目」、「運動時間項目」、「消費カロリー項目」、「歩数項目」、「睡眠時間項目」、「心バランス項目」の間で（サイクリックに）切り替えることができ、表示対象期間が「１週間」であるときに操作ボタン１５０Ｃ（１週間ボタン）を押下することで表示対象期間を維持したまま表示対象項目を「達成度項目」、「運動時間項目」、「消費カロリー項目」、「歩数項目」、「睡眠時間項目」、「心バランス項目」の間で（サイクリックに）切り替えることができる。
【０２６３】
また、上記実施形態の処理部１２０が各操作ボタン１５０Ａ、１５０Ｂ、１５０Ｃ、１５０Ｄに割り付けた機能のうち、ライト点灯及び消灯、スプリットタイム等の計測（運動の計測）開始指示及び計測終了指示、ラップの記録指示、の少なくとも１つは無くてもよい。割り付ける機能が少ない場合には、期間切り替え機能を専用のボタンに割り付けると、ユーザーにとってよりシンプルで理解しやすい構成が実現できる。
【０２６４】
また、上記実施形態の処理部１２０は、ユーザーによる所定ボタンの「１回押し」を期間切り替え指示とみなしたが、当該ボタンの「２回押し」を期間切り替え指示とみなしてもよい。また、上記実施形態の処理部１２０は、ユーザーによる所定ボタンの「１回押し」を項目切り替え指示とみなしたが、当該ボタンの「２回押し」を項目切り替え指示とみなしてもよい。同様に、「長押し」、「短押し」、「３回押し」などを特定の指示とみなしてもよい。なお、ここでいう２回押しは、押下操作を所定期間内に連続して２回行うことをいい、３回押しは、押下操作を所定期間内に連続して３回行うことをいう（ユーザーによる１回押し、２回押し、長押し、短押し等の各操作は、何れも単一のアクションの一
例である。）。
【０２６５】
３−２．グラフ表示について
上記の実施形態の処理部１２０は、少なくとも１つの項目について表示対象期間におけるデータの推移を棒グラフで表したが、折れ線グラフなどの他種のグラフで表示してもよい。
【０２６６】
例えば、電子機器１は、或る項目の当日のデータの推移を例えば１時間ごとの折れ線グラフで示し、同じ項目の１週間のデータの推移を例えば１日ごとの折れ線グラフで表示してもよい。
【０２６７】
また、上記の実施形態の処理部１２０は、少なくとも１つの項目のデータを数値イメージで表したが、ユーザーが所定の操作ボタン（操作ボタン１５０Ａ、１５０Ｂとは異なるボタン）を押下し続けること（又は繰り返し押下すること）で数値イメージが時系列に切り替わるようにしてもよい。或いは、上記の実施形態の処理部１２０は、複数の数値イメージを画面内に列記することで数値の推移が一覧できるようにしてもよい。
【０２６８】
また、上記の実施形態の処理部１２０は、少なくとも１つの項目のデータを当該項目の目標と共に表示してもよい（目標と結果）。また、その場合、処理部１２０は、或る項目のデータが目標に達した場合には、データを強調表示してもよい。データの強調表示は、データのコントラスト、明るさ、色、彩度の少なくとも１つを変化させたり、反転表示したり、点滅表示したり、マークを付与したり、データの表示サイズを拡大したりすることなどにより行われる。
【０２６９】
また、上記の実施形態の処理部１２０は、少なくとも１つの項目に関する（ｉ）目標と結果、（ｉｉ）結果と予想、（ｉｉｉ）最大最小と平均のうち、少なくとも１つの組み合わせを並べて表示してもよい。
【０２７０】
３−３．表示対象期間について
上記実施形態の処理部１２０は、期間切り替えの順序を、「当日」、「１週間」の順序に設定したが、「１週間」、「当日」の順序に設定してもよし、順序をユーザーに設定させて（カスタマイズ可能として）もよい。
【０２７１】
上記の実施形態の処理部１２０は、切り替え可能な表示対象期間を「当日」と「１週間」との２つとしたが、この２つに限定されることはないし、表示対象期間をユーザーに選択させて（カスタマイズ可能として）もよい。
【０２７２】
例えば、上記の実施形態の処理部１２０は、切り替え可能な表示対象期間の１つに、「現在時刻の属する１時間」、「現在時刻の属する２時間」、「現在時刻の属する３時間」、「現在時刻の属する６時間」、「現在時刻の属する１２時間」「現在時刻の属する２４時間」、「現在時刻の属する１週間」、「現在時刻の属する１ヶ月」、「現在時刻の属する１年間」、「現在時刻の属する３年間」、「現在時刻の属する５年間」、…のうち少なくとも何れかを加えてもよい。
【０２７３】
また、例えば、上記の実施形態の処理部１２０は、切り替え可能な表示対象期間の１つに、「当日」、「昨日」、「一昨日」、…、「今週」、「先週」、「先々週」…、「今月」、「先月」、「先々月」、…「今年」、「昨年」、「一昨年」、…の少なくとも何れかを加えてもよい。
【０２７４】
３−４．表示対象項目について
上記実施形態の処理部１２０は、活動量表示モードの当初に、当日の達成度画面（図５（ａ））を表示したが、当日の達成度画面（図５（ａ））の代わりに時刻表示画面（図１）を表示してもよい。
【０２７５】
上記実施形態の処理部１２０は、項目切り替えの順序を、（ａ）達成度、（ｂ）運動時間、（ｃ）消費カロリー、（ｄ）歩数、（ｅ）睡眠時間、（ｆ）心バランス、の順序に設定したが、他の順序に設定してもよいし、順序をユーザーに設定させて（カスタマイズ可能として）もよい。
【０２７６】
上記の実施形態の処理部１２０は、切り替え可能な表示対象項目を、（ａ）達成度、（ｂ）運動時間、（ｃ）消費カロリー、（ｄ）歩数、（ｅ）睡眠時間、（ｆ）心バランス、の６つとしたが、６つののうち一部を表示対象項目から外してもよいし、他の項目を表示対象項目に加えてもよいし、表示対象項目をユーザーに選択させて（カスタマイズ可能として）もよい。
【０２７７】
例えば、上記の実施形態の処理部１２０は、切り替え可能な表示対象項目の１つに、（ｇ）最大酸素摂取量（ＶＯ２ｍａｘ）、（ｈ）最小酸素摂取量（ＶＯ２ｍｉｎ）、のうち少なくとも一方を加えてもよい。
【０２７８】
ここで、最大酸素摂取量（ＶＯ２ｍａｘ）は、対象期間におけるユーザーの最大の酸素摂取量である。
【０２７９】
また、最小酸素摂取量（ＶＯ２ｍｉｎ）は、対象期間におけるユーザーの最小の酸素摂取量である。酸素摂取量は、ユーザーの年齢や性別、体重等のパラメーター値を用いて、所定の演算式に従って演算（推定）することができる。なお、演算式それ自体は公知であるため、ここでは説明を省略する。
【０２８０】
また、上記の実施形態の処理部１２０は、切り替え可能な表示対象項目の１つに、（ｉ）最大脈拍数の項目と、（ｊ）最小脈拍数の項目の少なくとも一方を加えてもよい。
【０２８１】
ここで、最大脈拍数“ＨＲｍａｘ”は、表示対象期間におけるユーザーの最大の脈拍数であり、例えば「ＨＲｍａｘ＝２２０−被検者の年齢」によって算出することが可能である。
【０２８２】
また、最小脈拍数“ＨＲｍｉｎ”は、対象期間におけるユーザーの最小の脈拍数であり、例えば安静時脈拍数を設定することが可能である。一般的な成人の安静時脈拍数は「６０〜７０」程度である。この範囲の中から、ユーザーの性別や年齢等に基づいて安静時脈拍数を決定し、最小脈拍数“ＨＲｍｉｎ”として設定することができる。
【０２８３】
３−５．活動量項目の例
上記の実施形態の処理部１２０は、切り替え可能な表示対象項目の１つに、以下の何れかの項目を加えてもよい。
【０２８４】
活動量の項目の例：移動距離、運動時間、歩数、歩行ペース、歩行ピッチ、歩幅、早歩き歩数、ランニング歩数、上昇階数（「５階分」、「２階分」等）、上昇階段数（「１００段」、「２００段」等）、心拍数、酸素摂取量、発汗量、水分摂取量（ユーザーによる手動入力）、消費カロリー、摂取カロリー（ユーザーによる手動入力）、カロリー収支、体重（体重計との通信による入力、又はユーザーによる手動入力）、ウエストサイズ（ユーザーによる手動入力）、睡眠時間、睡眠の質（深い／浅いの別、良い／悪いの別、点数など）、睡眠の質のバランス（深い睡眠時間と浅い睡眠時間との比率）、緊張時間とリラ
ックス時間とのバランス（心バランス）、目標達成度、紫外線量、…など。
【０２８５】
３−６．運動におけるパフォーマンスについて
上記の実施形態の処理部１２０は、切り替え可能な表示対象項目の１つに、以下のいずれかの項目を加えてもよい。なお、以下の項目は、運動におけるパフォーマンスの項目である。パフォーマンスの項目の一部は、活動量の項目の一部と重複する可能性もある。このような運動パフォーマンスを計測または記録する電子機器１は、運動パフォーマンスモニタリング装置と言うこともできる。
【０２８６】
パフォーマンスの項目の例：運動距離（移動距離、累積移動距離）、運動時間、所定の心拍ゾーンにおける運動時間、歩数、ラップ歩数、走行ペース、走行ピッチ、歩幅（ストライド）、スプリットタイム、ラップタイム、累積上昇高度、累積下降高度、標高（運動した場所の平均高度）、勾配、トレーニング回数（ランニング回数など）、目標達成度、姿勢（走行姿勢）、左右差、接地時間、真下着地率、推進効率、脚の流れ、着地ブレーキ量、着地衝撃、心拍数、消費カロリー、酸素摂取量、発汗量、水分摂取量、所定条件における予想運動距離（移動距離、予想累積距離）、所定の心拍ゾーンに到達するまでの時間、所定条件での予想ペース、所定条件での予想ピッチ、所定条件での予想歩幅（予想ストライド）、所定条件での予想タイム（ラップタイム、スプリットタイム）、所定条件での予想消費カロリー、自動生成された目標、紫外線量、…など。
【０２８７】
なお、上記の実施形態の処理部１２０は、１又は複数のパフォーマンスの項目を、種目別に表示してもよい。
【０２８８】
３−７．センサー種類について
上記の実施形態の電子機器１は、センサーとして、以下の各種のセンサーのうち少なくとも１つを用いることができる。すなわち、加速度センサー、ＧＰＳ（ＧＮＳＳ）センサー、角速度センサー、速度センサー、心拍センサー（胸ベルトなど）、脈拍センサー（心臓以外の場所で測るセンサー）、歩数計、圧力センサー、高度センサー、温度センサー（気温センサー、体温センサー）、地磁気センサー、体重計（電子機器１の外部装置として用いる）、紫外線センサー、発汗量センサー、血圧センサー、血中酸素濃度（ＳｐＯ２）センサー、乳酸センサー、血糖値センサーなどである。
【０２８９】
３−８．データ集計手法について
上記の実施形態の処理部１２０は、少なくとも１つの項目のデータ（活動量データ又はパフォーマンスデータ）として、表示対象期間内のデータの平均値、代表値（最大値、最小値）、累計、推移などの少なくとも１つを表示することができる。
【０２９０】
例えば、上記の実施形態の処理部１２０は、或る項目の当日のデータとして、当日のワーストデータ、当日のベストデータ、当日の平均データを表示し、同じ項目の１週間のデータとして、１週間のワーストデータ、１週間のベストデータ、１週間の平均データを表示してもよい。
【０２９１】
また、例えば、上記の実施形態の処理部１２０は、スプリットペース（走行区間全体の平均ペース）を表示してもよいし、複数回の走行の平均ペースを表示してもよいし、１ヶ月の平均ペース（全走行の平均ペース）を表示してもよい。
【０２９２】
また、上記の実施形態の処理部１２０は、少なくとも１つの項目のデータとして、センシングデータの履歴又はセンシングデータに基づく現時点までの実測データを表示したが、センシングデータの履歴に基づく未来の予想データを表示してもよい。予想データとは、例えば、所定条件での予想歩数、所定条件での予想移動距離、自動生成される目標値な
どである。
【０２９３】
また、上記の実施形態の処理部１２０は、少なくとも１つの項目のデータを点数化して、点数を表示してもよい。また、少なくとも１つの項目を所定の基準で評価し、評価結果を表示してもよい。
【０２９４】
３−９．その他のカスタマイズについて
また、上記の実施形態の処理部１２０による表示内容（表示対象期間、表示対象項目、表示態様、集計手法、表示順序などを含む）の少なくとも一部は、ユーザーが予め設定することが可能（カスタマイズ可能）であってもよい。
【０２９５】
４．その他の変形例
本発明は上記の実施形態に限定されず、本発明の要旨の範囲内で種々の変形実施が可能である。
【０２９６】
例えば、上記の実施形態では、サーバー４の機能の一部が情報端末２又は電子機器１に搭載されてもよいし、情報端末２又は電子機器１の機能の一部がサーバー４に搭載されてもよい。また、上記の実施形態では、電子機器１の機能の一部又は全部が情報端末２に搭載されてもよいし、情報端末２の機能の一部又は全部が電子機器１に搭載されてもよい。
【０２９７】
また、電子機器１又は情報端末２には、公知のスマートフォンの機能、例えば、カメラ機能、通話機能、通信機能などが搭載されてもよい。
【０２９８】
また、電子機器１又は情報端末２の用途（身体活動）としては、ウォーキング、ランニングのほか、登山、スキー（クロスカントリーやスキージャンプも含む）、自転車、テニス、スイミング、ダイエット、リハビリテーションの他に、スケート、ゴルフ、野球、サッカー、バイク、ボート（漕艇）、ヨット、トレイルランニング、パラグライダー、犬ぞり、馬術、などが挙げられる。各用途に応じて異なる項目をロギングしてもよいし、ユーザーが項目を選択できてもよい。
【０２９９】
また、電子機器１又は情報端末２は、リスト型電子機器、イヤホン型電子機器、指輪型電子機器、ペンダント型電子機器、スポーツ器具に装着して使用する電子機器、スマートフォン、ヘッドマウントディスプレイ（ＨＭＤ：Head Mount Display）など、様々なタイプの携帯情報機器として構成することができる。
【０３００】
また、電子機器１又は情報端末２は、ユーザーに対する情報の通知を、画像表示により行ってもよいし、音出力、振動、光、色（ＬＥＤの発光やディスプレイの表示色）などにより行ってもよいし、画像表示、音出力、振動、光、色のうち少なくとも２つの組み合わせにより行ってもよい。
【０３０１】
また、上記の実施形態では、全地球衛星測位システムとしてＧＰＳ（Global Positioning System）を利用したが、他の全地球航法衛星システム（ＧＮＳＳ：Global Navigation
Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、等の衛星測位システムのうち１又は２以上を利用してもよい。また、衛星測位システムの少なくとも１つにＷＡＡＳ（Wide Area Augmentation System）、ＥＧＮＯＳ(European Geostationary-Satellite Navigation Overlay Service)等の静止衛星型衛星航法補強システム（ＳＢＡＳ：Satellite-based Augmentation System）を利用してもよい。
【０３０２】
また、上述した各実施形態及び各変形例は一例であって、これらに限定されるわけではない。例えば、各実施形態及び各変形例を適宜組み合わせることも可能である。
【０３０３】
また、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０３０４】
１…電子機器、１１０…ＧＰＳセンサー、１２０…処理部、１３０…記憶部、１１１…地磁気センサー、１１２…気圧センサー、１１３…加速度センサー、１１４…角速度センサー、１１５…脈センサー、１１６…温度センサー、１５０…操作部、１６０…計時部、１７０…表示部、１８０…音出力部、１９０…通信部、２…情報端末、３…ネットワーク、４…サーバー
【図１】
2017127377.tif 000003
【図２】
2017127377.tif 000004
【図３】
2017127377.tif 000005
【図４】
2017127377.tif 000006
【図５】
2017127377.tif 000007
【図６】
2017127377.tif 000008
【図７】
2017127377.tif 000009
【図８】
2017127377.tif 000010
【図９】
2017127377.tif 000011
【図１０】
2017127377.tif 000012
【図１１】
2017127377.tif 000013
【図１２】
2017127377.tif 000014